(57)【要約】【課題】従来の会計処理装置、会計処理方法、会計処理プログラムにおいては、摘要語句等を事前に登録する必要があるという課題があった。【解決手段】  入力された勘定科目から該当する摘要情報を決定するための摘要決定支援機能を有する会計処理装置であって、  摘要情報を構成する１以上の摘要語句と、入力された勘定科目と関連付けた摘要語句をキーワードとして登録するキーワード辞書と、勘定科目と摘要情報を関連付けた摘要パターンを保存する記憶部３０と、借方に入力された勘定科目と貸方に入力された勘定科目をキーとして一致する摘要パターンを取得する制御部１０と、一致した摘要パターンからキーワード辞書を参照してキーワード毎に分解した摘要語句を使用頻度の高い順に摘要語句候補として表示することを特徴とする会計処理装置により、事前に登録しなくても摘要情報を作成することができる。【選択図】図９
2019121091.tif 000002
【特許請求の範囲】
【請求項１】
勘定科目の入力を受け付ける手段と、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出する手段と、
抽出した前記摘要パターンから摘要パターンリストを作成する手段と、
前記摘要パターンリストを前記摘要パターンの登録回数の多い順に優先順位付けを行う手段と、
入力された勘定科目と関連する摘要語句に取引内容を示すカテゴリを関連付けたキーワードとして登録するキーワード辞書を参照して前記摘要パターンリストからキーワード毎に分解して各摘要パターンの摘要語句と摘要語句数を取得する手段と、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記登録回数の最も多い摘要パターンの摘要語句数の数だけ繰り返す手段とを備えることを特徴とする会計処理装置。
【請求項２】
勘定科目の入力を受け付ける手段と、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出する手段と、
抽出した前記摘要パターンから摘要パターンリストを作成する手段と、
入力された勘定科目と関連する摘要語句に取引内容を示すカテゴリを関連付けたキーワードとして登録するキーワード辞書を参照して借方に入力された勘定科目をキーとして借方側の当該勘定科目と関連付けられたキーワードである借方キーワードを取得する手段と、
前記キーワード辞書を参照して貸方に入力された勘定科目をキーとして貸方側の当該勘定科目と関連付けられたキーワードである貸方キーワードを取得する手段と、
前記摘要パターンリストから摘要パターン毎に前記借方キーワードと前記貸方キーワードを
それぞれキーとして一致する摘要語句の数を摘要語句使用数として集計する手段と、
前記摘要パターン毎に前記摘要語句使用数を合計した摘要語句使用数合計を集計する手段と、
前記摘要語句使用数合計の多い順に優先順位付けを行う手段と、
前記摘要パターンリストからキーワード毎に分解して各摘要パターンの摘要語句と摘要語句数を取得する手段と、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記摘要語句使用数合計の最も多い摘要パターンの摘要語句数の数だけ繰り返す手段とを備えることを特徴とする会計処理装置。
【請求項３】
勘定科目の入力を受け付ける手段と、
取引内容や取引状況を取引カテゴリ毎に分類した摘要類型と入力された勘定科目と関連付けて登録する科目摘要テーブルを参照して借方に入力された勘定科目をキーとして借方の勘定科目と対応する借方摘要類型を取得する手段と、
前記科目摘要テーブルを参照して貸方に入力された勘定科目をキーとして貸方の勘定科目と対応する貸方摘要類型を取得する手段と、
借方摘要類型と前記貸方摘要類型を比較する手段と、
借方摘要類型と前記貸方摘要類型から一致する摘要類型を抽出する手段と、
取引内容や取引状況をキーワード毎に分解しカテゴリ毎にまとめた摘要項目の組み合わせである摘要項目構成と摘要類型を関連付けて登録する摘要類型テーブルを参照して前記抽出した摘要類型をキーとして摘要項目数と摘要項目構成を取得する手段と、
入力された勘定科目と関連する摘要語句に取引内容を示すカテゴリを関連付けたキーワードとして登録するキーワード辞書を参照して前記摘要項目構成の項目毎に優先順位の高いキーワードを取得する手段と、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記摘要項目数の数だけ繰り返す手段とを備えることを特徴とする会計処理装置。
【請求項４】
請求項１または請求項２に記載の会計処理装置であって、
取引内容を示す原始証憑を画像データ化する手段と、
前記画像データからテキスト情報を抽出する手段と、
前記キーワード辞書を参照してテキスト情報を入力キーワードとしてキーワード毎に分解する手段と、
前記科目摘要パターンテーブルを参照して前記入力キーワードをキーとして入力キーワードとの一致数が最も多い摘要パターンを取得する手段と、
取得した摘要パターンを元に摘要情報を自動作成する手段とを備えることを特徴とする会計処理装置。
【請求項５】
請求項３に記載の会計処理装置であって、
取引内容を示す原始証憑を画像データ化する手段と、
前記画像データからテキスト情報を抽出する手段と、
前記キーワード辞書を参照してテキスト情報を入力キーワードとしてキーワード毎に分解する手段と、
前記入力キーワードを前記摘要項目構成の各項目に設定することで摘要情報を自動作成する手段と備えることを特徴とする会計処理装置。
【請求項６】
請求項１から請求項５に記載の会計処理装置であって、
前記勘定科目と確定した摘要語句から作成された摘要情報から前記勘定科目と前記摘要情報を含む仕訳データを作成する手段と、
前記仕訳データを仕訳データＤＢに登録する手段とを備えることを特徴とする会計処理装置。
【請求項７】
請求項１から請求項６に記載の会計処理装置であって、
前記勘定科目と前記摘要情報を含む仕訳データを作成する手段と、
前記仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録する第一の手段と、
前記第一の手段により前記キーワード辞書にフィードバックする手段とを備えることを特徴とする会計処理装置。
【請求項８】
請求項１、２および４のいずれかに記載の会計処理装置であって、
前記勘定科目と前記摘要情報を含む仕訳データを作成する手段と、
前記仕訳データを仕訳データＤＢに登録する際に、前記摘要パターンテーブルに前記摘要情報の登録の有無により、該当摘要情報と一致する摘要パターンの選択回数に１を追加又は該当摘要情報を新たな摘要パターンとして自動で登録する第一の手段と、
前記第一の手段により前記摘要パターンテーブルにフィードバックする手段とを備えることを特徴とする会計処理装置。
【請求項９】
請求項１から８に記載の会計処理装置であって、
前記摘要語句に少なくとも日付又は金額のいずれかの文字を含む場合は前記キーワード辞書に登録する際に摘要語句から前記日付又は前記金額部分を除去した摘要語句を新たなキーワードとして自動で登録する第一の手段と、
前記第一の手段により前記キーワード辞書にフィードバックする手段とを備えることを特徴とする会計処理装置。
【請求項１０】
請求項１、２、４および８のいずれかに記載の会計処理装置であって、
前記摘要情報に少なくとも日付又は金額のいずれかの文字を含む場合は前記摘要パターンテーブルに登録する際に摘要語句から前記日付又は前記金額部分を除去した摘要情報を新た摘要パターンとして自動で登録する第一の手段と、
前記第一の手段により前記摘要パターンテーブルにフィードバックする手段とを備えることを特徴とする会計処理装置。
【請求項１１】
請求項１から１０に記載の会計処理装置であって、
会計処理を行なう会社の入力を受け付ける手段と、
会計処理の対象となる会社情報を登録した会社ＤＢを参照して入力された会社の会社コードを取得する手段と、
取得した会社コードをキーとして前記仕訳データＤＢから一致する仕訳データを取得する手段と、
前記キーワード辞書を参照して取得した仕訳データの摘要情報に含まれる摘要語句を抽出する手段と、
前記抽出した摘要語句を元に会社毎のキーワード辞書を作成する手段とを備えることを特徴とする会計処理装置。
【請求項１２】
請求項１、２、４、８および１０のいずれかに記載の会計処理装置であって、
会計処理を行なう会社の入力を受け付ける手段と、
会計処理の対象となる会社情報を登録した会社ＤＢを参照して入力された会社の会社コードを取得する手段と、
取得した会社コードをキーとして前記仕訳データＤＢから一致する仕訳データを取得する手段と、
前記摘要パターンテーブルを参照して取得した仕訳データの摘要情報と一致する摘要パターンを抽出する手段と、
前記抽出した摘要パターンを元に会社毎の摘要パターンテーブルを作成する手段とを備えることを特徴とする会計処理装置。
【請求項１３】
請求項１から１２に記載の会計処理装置であって、
会計処理対象の取引の発生年月である対象年月を取得する手段と、
参照対象となる過去取引の発生時期が設定された参照設定および前記対象年月に基づいて、参照対象となる過去取引の発生した年月日を限定するための参照期間を決定する手段と、
前記仕訳データから当該参照期間に該当する仕訳データを抽出する手段と、
前記抽出した仕訳データを元に前記会社毎のキーワード辞書を作成する手段とを備えることを特徴とする記載の会計処理装置。
【請求項１４】
請求項１、２、４、８、１０および１２のいずれかに記載の会計処理装置であって、
会計処理対象の取引の発生年月である対象年月を取得する手段と、
参照対象となる過去取引の発生時期が設定された参照設定および前記対象年月に基づいて、参照対象となる過去取引の発生した年月日を限定するための参照期間を決定する手段と、
前記仕訳データから当該参照期間に該当する仕訳データを抽出する手段と、
前記抽出した仕訳データを元に前記会社毎の摘要パターンテーブルを作成する手段とを備えることを特徴とする会計処理装置。
【請求項１５】
コンピュータが、
勘定科目の入力を受け付けるステップと、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出するステップと、
抽出した前記摘要パターンから摘要パターンリストを作成するステップと、
前記摘要パターンリストを前記摘要パターンの登録回数の多い順に優先順位付けを行うステップと、
入力された勘定科目と関連する摘要語句に取引内容を示すカテゴリを関連付けたキーワードとして登録するキーワード辞書を参照して前記摘要パターンリストからキーワード毎に分解して各摘要パターンの摘要語句と摘要語句数を取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記登録回数の最も多い摘要パターンの摘要語句数の数だけ繰り返す手段とを実行することを特徴とする会計処理方法。
【請求項１６】
コンピュータが、
勘定科目の入力を受け付けるステップと、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出するステップと、
抽出した前記摘要パターンから摘要パターンリストを作成するステップと、
入力された勘定科目と関連する摘要語句に取引内容を示すカテゴリを関連付けたキーワードとして登録するキーワード辞書を参照して借方に入力された勘定科目をキーとして借方側の当該勘定科目と関連付けられたキーワードである借方キーワードを取得するステップと、
前記キーワード辞書を参照して貸方に入力された勘定科目をキーとして貸方側の当該勘定科目と関連付けられたキーワードである貸方キーワードを取得するステップと、
前記摘要パターンリストから摘要パターン毎に前記借方キーワードと前記貸方キーワードを
それぞれキーとして一致する摘要語句の数を摘要語句使用数として集計するステップと、
前記摘要パターン毎に前記摘要語句使用数を合計した摘要語句使用数合計を集計するステップと、
前記摘要語句使用数合計の多い順に優先順位付けを行うステップと、
前記摘要パターンリストからキーワード毎に分解して各摘要パターンの摘要語句と摘要語句数を取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記摘要語句使用数合計の最も多い摘要パターンの摘要語句数の数だけ繰り返すステップとを実行することを特徴とする会計処理方法。
【請求項１７】
コンピュータが、
勘定科目の入力を受け付けるステップと、
取引内容や取引状況を取引カテゴリ毎に分類した摘要類型と入力された勘定科目と関連付けて登録する科目摘要テーブルを参照して借方に入力された勘定科目をキーとして借方の勘定科目と対応する借方摘要類型を取得するステップと、
前記科目摘要テーブルを参照して貸方に入力された勘定科目をキーとして貸方の勘定科目と対応する貸方摘要類型を取得するステップと、
借方摘要類型と前記貸方摘要類型を比較するステップと、
借方摘要類型と前記貸方摘要類型から一致する摘要類型を抽出するステップと、
取引内容や取引状況をキーワード毎に分解しカテゴリ毎にまとめた摘要項目の組み合わせである摘要項目構成と摘要類型を関連付けて登録する摘要類型テーブルを参照して前記抽出した摘要類型をキーとして摘要項目数と摘要項目構成を取得するステップと、
入力された勘定科目と関連する摘要語句に取引内容を示すカテゴリを関連付けたキーワードとして登録するキーワード辞書を参照して前記摘要項目構成の項目毎に優先順位の高いキーワードを取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記摘要項目数の数だけ繰り返すステップとを実行することを特徴とする会計処理方法。
【請求項１８】
請求項１５または請求項１６に記載の会計処理方法であって、
コンピュータが、
取引内容を示す原始証憑を画像データ化するステップと、
前記画像データからテキスト情報を抽出するステップと、
前記キーワード辞書を参照してテキスト情報を入力キーワードとしてキーワード毎に分解するステップと、
前記科目摘要パターンテーブルを参照して前記入力キーワードをキーとして入力キーワードとの一致数が最も多い摘要パターンを取得するステップと、
取得した摘要パターンを元に摘要情報を自動作成するステップとを実行することを特徴とする会計処理方法。
【請求項１９】
請求項１７に記載の会計処理方法であって、
コンピュータが、
取引内容を示す原始証憑を画像データ化するステップと、
前記画像データからテキスト情報を抽出するステップと、
前記キーワード辞書を参照してテキスト情報を入力キーワードとしてキーワード毎に分解するステップと、
前記入力キーワードを前記摘要項目構成の各項目に設定することで摘要情報を自動作成するステップと実行することを特徴とする会計処理方法。
【請求項２０】
請求項１５から請求項１９に記載の会計処理方法であって、
コンピュータが、
前記勘定科目と確定した摘要語句から作成された摘要情報から前記勘定科目と前記摘要情報を含む仕訳データを作成するステップと、
前記仕訳データを仕訳データＤＢに登録するステップとを実行することを特徴とする会計処理方法。
【請求項２１】
請求項１５から請求項２０に記載の会計処理方法であって、
コンピュータが、
前記勘定科目と前記摘要情報を含む仕訳データを作成するステップと、
前記仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録する第一のステップと、
前記第一のステップにより前記キーワード辞書にフィードバックするステップとを実行することを特徴とする会計処理方法。
【請求項２２】
請求項１５、１６および１８のいずれかに記載の会計処理方法であって、
コンピュータが、
前記勘定科目と前記摘要情報を含む仕訳データを作成するステップと、
前記仕訳データを仕訳データＤＢに登録する際に、前記摘要パターンテーブルに前記摘要情報の登録の有無により、該当摘要情報と一致する摘要パターンの選択回数に１を追加又は該当摘要情報を新たな摘要パターンとして自動で登録する第一のステップと、
前記第一のステップにより前記摘要パターンテーブルにフィードバックするステップとを実行することを特徴とする会計処理方法。
【請求項２３】
請求項１から請求項１４までのいずれかに記載の会計処理装置としてコンピュータを機能させるためのプログラム。
【発明の詳細な説明】
【技術分野】
【０００１】
本発明は、勘定科目から摘要情報を作成する等に関するものである。
【背景技術】
【０００２】
従来の会計処理装置において、毎月発生する定型的な取引について定型仕訳として過去の仕訳を辞書に登録して仕訳辞書として利用することで勘定科目を入力するだけで仕訳を簡単に作成するものがある（例えば、特許文献１参照）。また、摘要の文字列（語句）と関連する勘定科目を登録した摘要辞書を利用することで摘要の文字列を選択するだけで勘定科目を入力され、簡単に仕訳を自動作成するものがある（例えば、特許文献２参照）。
【先行技術文献】
【特許文献】
【０００３】
【特許文献１】特開平０６−０５２１９６号公報
【特許文献２】特開２００３−３３１２０９号公報
【発明の概要】
【発明が解決しようとする課題】
【０００４】
しかしながら、特許文献１は従来の仕訳辞書を利用した場合、毎月発生する電気代等の金額以外は勘定科目や摘要情報が同じ定型的な取引等には仕訳辞書をそのまま利用できるが、摘要情報が異なる場合は再度入力しなければいけないという課題があった。また、頻繁に発生する仕訳や担当者がよく使う仕訳の摘要情報を仕訳辞書に事前に登録する必要があるという問題点がある。
また、特許文献２は、自科目を選択後に摘要情報と相手科目を選択することで簡単に仕訳を作成できるが、摘要情報を摘要辞書に事前に登録しておく必要があるという課題があった。また、摘要情報として取引内容が摘要辞書に登録されるが、登録される取引内容は定型的な取引内容であり、取引内容（例：飲食等）が同じで勘定科目（例：交際費や会議費等）が違う場合に取引状況が不明な為取引内容のチェックが不十分になるという問題点がある。
【課題を解決するための手段】
【０００５】
第１の発明は、
勘定科目の入力を受け付け、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出し、
抽出した前記摘要パターンから摘要パターンリストを作成し、
前記摘要パターンリストを前記摘要パターンの登録回数の多い順に優先順位付けを行い、
入力された勘定科目と関連する摘要語句に取引内容を示すカテゴリを関連付けたキーワードとして登録するキーワード辞書を参照して前記摘要パターンリストからキーワード毎に分解して各摘要パターンの摘要語句と摘要語句数を取得し、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記登録回数の最も多い摘要パターンの摘要語句数の数だけ繰り返すことを備えることを特徴とする会計処理装置である。
第２の発明は、
勘定科目の入力を受け付け、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出し、
抽出した前記摘要パターンから摘要パターンリストを作成し、
入力された勘定科目と関連する摘要語句に取引内容を示すカテゴリを関連付けたキーワードとして登録するキーワード辞書を参照して借方に入力された勘定科目をキーとして借方側の当該勘定科目と関連付けられたキーワードである借方キーワードを取得し、
前記キーワード辞書を参照して貸方に入力された勘定科目をキーとして貸方側の当該勘定科目と関連付けられたキーワードである貸方キーワードを取得し、
前記摘要パターンリストから摘要パターン毎に前記借方キーワードと前記貸方キーワードを
それぞれキーとして一致する摘要語句の数を摘要語句使用数として集計し、
前記摘要パターン毎に前記摘要語句使用数を合計した摘要語句使用数合計を集計し、
前記摘要語句使用数合計の多い順に優先順位付けを行い、
前記摘要パターンリストからキーワード毎に分解して各摘要パターンの摘要語句と摘要語句数を取得し、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記摘要語句使用数合計の最も多い摘要パターンの摘要語句数の数だけ繰り返すことを備えることを特徴とする会計処理装置である。
第３の発明は、
勘定科目の入力を受け付け、
取引内容や取引状況を取引カテゴリ毎に分類した摘要類型と入力された勘定科目と関連付けて登録する科目摘要テーブルを参照して借方に入力された勘定科目をキーとして借方の勘定科目と対応する借方摘要類型を取得し、
前記科目摘要テーブルを参照して貸方に入力された勘定科目をキーとして貸方の勘定科目と対応する貸方摘要類型を取得し、
借方摘要類型と前記貸方摘要類型を比較し、
借方摘要類型と前記貸方摘要類型から一致する摘要類型を抽出し、
取引内容や取引状況をキーワード毎に分解しカテゴリ毎にまとめた摘要項目の組み合わせである摘要項目構成と摘要類型を関連付けて登録する摘要類型テーブルを参照して前記抽出した摘要類型をキーとして摘要項目数と摘要項目構成を取得し、
入力された勘定科目と関連する摘要語句に取引内容を示すカテゴリを関連付けたキーワードとして登録するキーワード辞書を参照して前記摘要項目構成の項目毎に優先順位の高いキーワードを取得し、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記摘要項目数の数だけ繰り返すことを備えることを特徴とする会計処理装置である。
第４の発明は、第１の発明または第２の発明に記載の会計処理装置であって、
取引内容を示す原始証憑を画像データ化し、
前記画像データからテキスト情報を抽出し、
前記キーワード辞書を参照してテキスト情報を入力キーワードとしてキーワード毎に分解し、
前記科目摘要パターンテーブルを参照して前記入力キーワードをキーとして入力キーワードとの一致数が最も多い摘要パターンを取得し、
取得した摘要パターンを元に摘要情報を自動作成することを特徴とする会計処理装置である。
第５の発明は、第３の発明に記載の会計処理装置であって、
取引内容を示す原始証憑を画像データ化し、
前記画像データからテキスト情報を抽出し、
前記キーワード辞書を参照してテキスト情報を入力キーワードとしてキーワード毎に分解し、
前記入力キーワードを前記摘要項目構成の各項目に設定することで摘要情報を自動作成す備えることを特徴とする会計処理装置である。
第６の発明は、第１の発明から第５の発明に記載の会計処理装置であって、
前記勘定科目と確定した摘要語句から作成された摘要情報から前記勘定科目と前記摘要情報を含む仕訳データを作成し、
前記仕訳データを仕訳データＤＢに登録することを特徴とする会計処理装置である。
第７の発明は、第１の発明から第６の発明に記載の会計処理装置であって、
前記勘定科目と前記摘要情報を含む仕訳データを作成し、
前記仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録する第一の手段と、
前記第一の手段により前記キーワード辞書にフィードバックすることを特徴とする会計処理装置である。
第８の発明は、第１、２および４のいずれかの発明に記載の会計処理装置であって、
前記勘定科目と前記摘要情報を含む仕訳データを作成し、
前記仕訳データを仕訳データＤＢに登録する際に、前記摘要パターンテーブルに前記摘要情報の登録の有無により、該当摘要情報と一致する摘要パターンの選択回数に１を追加又は該当摘要情報を新たな摘要パターンとして自動で登録する第一の手段と、
前記第一の手段により前記摘要パターンテーブルにフィードバックすることを特徴とする会計処理装置である。
第９の発明は、第１から８の発明に記載の会計処理装置であって、
前記摘要語句に少なくとも日付又は金額のいずれかの文字を含む場合は前記キーワード辞書に登録する際に摘要語句から前記日付又は前記金額部分を除去した摘要語句を新たなキーワードとして自動で登録する第一の手段と、
前記第一の手段により前記キーワード辞書にフィードバックすることを特徴とする会計処理装置である。
第１０の発明は、第１、２、４および８のいずれかの発明に記載の会計処理装置であって、
前記摘要情報に少なくとも日付又は金額のいずれかの文字を含む場合は前記摘要パターンテーブルに登録する際に摘要語句から前記日付又は前記金額部分を除去した摘要情報を新た摘要パターンとして自動で登録する第一の手段と、
前記第一の手段により前記摘要パターンテーブルにフィードバックすることを特徴とする会計処理装置である。
第１１の発明は、第１から１０の発明に記載の会計処理装置であって、
会計処理を行なう会社の入力を受け付け、
会計処理の対象となる会社情報を登録した会社ＤＢを参照して入力された会社の会社コードを取得し、
取得した会社コードをキーとして前記仕訳データＤＢから一致する仕訳データを取得し、
前記キーワード辞書を参照して取得した仕訳データの摘要情報に含まれる摘要語句を抽出し、
前記抽出した摘要語句を元に会社毎のキーワード辞書を作成することを特徴とする会計処理装置である。
第１２の発明は、第１、２、４、８および１０のいずれかの発明に記載の会計処理装置であって、
会計処理を行なう会社の入力を受け付け、
会計処理の対象となる会社情報を登録した会社ＤＢを参照して入力された会社の会社コードを取得し、
取得した会社コードをキーとして前記仕訳データＤＢから一致する仕訳データを取得し、
前記摘要パターンテーブルを参照して取得した仕訳データの摘要情報と一致する摘要パターンを抽出し、
前記抽出した摘要パターンを元に会社毎の摘要パターンテーブルを作成することを特徴とする会計処理装置である。
第１３の発明は、第１から１２の発明に記載の会計処理装置であって、
会計処理対象の取引の発生年月である対象年月を取得し、
参照対象となる過去取引の発生時期が設定された参照設定および前記対象年月に基づいて、参照対象となる過去取引の発生した年月日を限定するための参照期間を決定し、
前記仕訳データから当該参照期間に該当する仕訳データを抽出し、
前記抽出した仕訳データを元に前記会社毎のキーワード辞書を作成することを特徴とする記載の会計処理装置である。
第１４の発明は、第１、２、４、８、１０および１２のいずれかの発明に記載の会計処理装置であって、
会計処理対象の取引の発生年月である対象年月を取得し、
参照対象となる過去取引の発生時期が設定された参照設定および前記対象年月に基づいて、参照対象となる過去取引の発生した年月日を限定するための参照期間を決定し、
前記仕訳データから当該参照期間に該当する仕訳データを抽出し、
前記抽出した仕訳データを元に前記会社毎の摘要パターンテーブルを作成することを特徴とする会計処理装置である。
第１５の発明は、
コンピュータが、
勘定科目の入力を受け付けるステップと、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出するステップと、
抽出した前記摘要パターンから摘要パターンリストを作成するステップと、
前記摘要パターンリストを前記摘要パターンの登録回数の多い順に優先順位付けを行うステップと、
入力された勘定科目と関連する摘要語句に取引内容を示すカテゴリを関連付けたキーワードとして登録するキーワード辞書を参照して前記摘要パターンリストからキーワード毎に分解して各摘要パターンの摘要語句と摘要語句数を取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記登録回数の最も多い摘要パターンの摘要語句数の数だけ繰り返すことを実行することを特徴とする会計処理方法。
第１６の発明は、
コンピュータが、
勘定科目の入力を受け付けるステップと、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出するステップと、
抽出した前記摘要パターンから摘要パターンリストを作成するステップと、
入力された勘定科目と関連する摘要語句に取引内容を示すカテゴリを関連付けたキーワードとして登録するキーワード辞書を参照して借方に入力された勘定科目をキーとして借方側の当該勘定科目と関連付けられたキーワードである借方キーワードを取得するステップと、
前記キーワード辞書を参照して貸方に入力された勘定科目をキーとして貸方側の当該勘定科目と関連付けられたキーワードである貸方キーワードを取得するステップと、
前記摘要パターンリストから摘要パターン毎に前記借方キーワードと前記貸方キーワードを
それぞれキーとして一致する摘要語句の数を摘要語句使用数として集計するステップと、
前記摘要パターン毎に前記摘要語句使用数を合計した摘要語句使用数合計を集計するステップと、
前記摘要語句使用数合計の多い順に優先順位付けを行うステップと、
前記摘要パターンリストからキーワード毎に分解して各摘要パターンの摘要語句と摘要語句数を取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記摘要語句使用数合計の最も多い摘要パターンの摘要語句数の数だけ繰り返すステップとを実行することを特徴とする会計処理方法。
第１７の発明は、
コンピュータが、
勘定科目の入力を受け付けるステップと、
取引内容や取引状況を取引カテゴリ毎に分類した摘要類型と入力された勘定科目と関連付けて登録する科目摘要テーブルを参照して借方に入力された勘定科目をキーとして借方の勘定科目と対応する借方摘要類型を取得するステップと、
前記科目摘要テーブルを参照して貸方に入力された勘定科目をキーとして貸方の勘定科目と対応する貸方摘要類型を取得するステップと、
借方摘要類型と前記貸方摘要類型を比較するステップと、
借方摘要類型と前記貸方摘要類型から一致する摘要類型を抽出するステップと、
取引内容や取引状況をキーワード毎に分解しカテゴリ毎にまとめた摘要項目の組み合わせである摘要項目構成と摘要類型を関連付けて登録する摘要類型テーブルを参照して前記抽出した摘要類型をキーとして摘要項目数と摘要項目構成を取得するステップと、
入力された勘定科目と関連する摘要語句に取引内容を示すカテゴリを関連付けたキーワードとして登録するキーワード辞書を参照して前記摘要項目構成の項目毎に優先順位の高いキーワードを取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記摘要項目数の数だけ繰り返すステップとを実行することを特徴とする会計処理方法。
第１８の発明は、第１５または第１６の発明に記載の会計処理方法であって、
コンピュータが、
取引内容を示す原始証憑を画像データ化するステップと、
前記画像データからテキスト情報を抽出するステップと、
前記キーワード辞書を参照してテキスト情報を入力キーワードとしてキーワード毎に分解するステップと、
前記科目摘要パターンテーブルを参照して前記入力キーワードをキーとして入力キーワードとの一致数が最も多い摘要パターンを取得するステップと、
取得した摘要パターンを元に摘要情報を自動作成するステップとを実行することを特徴とする会計処理方法。
第１９の発明は、第１７の発明に記載の会計処理方法であって、
コンピュータが、
取引内容を示す原始証憑を画像データ化するステップと、
前記画像データからテキスト情報を抽出するステップと、
前記キーワード辞書を参照してテキスト情報を入力キーワードとしてキーワード毎に分解するステップと、
前記入力キーワードを前記摘要項目構成の各項目に設定することで摘要情報を自動作成するステップと実行することを特徴とする会計処理方法。
第２０の発明は、第１５から第１９の発明に記載の会計処理方法であって、
コンピュータが、
前記勘定科目と確定した摘要語句から作成された摘要情報から前記勘定科目と前記摘要情報を含む仕訳データを作成するステップと、
前記仕訳データを仕訳データＤＢに登録するステップとを実行することを特徴とする会計処理方法。
第２１の発明は、第１５から第２０の発明に記載の会計処理方法であって、
コンピュータが、
前記勘定科目と前記摘要情報を含む仕訳データを作成するステップと、
前記仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録する第一のステップと、
前記第一のステップにより前記キーワード辞書にフィードバックするステップとを実行することを特徴とする会計処理方法。
第２２の発明は、第１５、１６および１８のいずれかの発明に記載の会計処理方法であって、
コンピュータが、
前記勘定科目と前記摘要情報を含む仕訳データを作成するステップと、
前記仕訳データを仕訳データＤＢに登録する際に、前記摘要パターンテーブルに前記摘要情報の登録の有無により、該当摘要情報と一致する摘要パターンの選択回数に１を追加又は該当摘要情報を新たな摘要パターンとして自動で登録する第一のステップと、
前記第一のステップにより前記摘要パターンテーブルにフィードバックするステップとを実行することを特徴とする会計処理方法。
第２３の発明は、第１から第１４の発明までのいずれかに記載の会計処理装置としてコンピュータを機能させるためのプログラム。
【発明の効果】
【０００６】
本発明によれば、担当者が事前に辞書によく使われる仕訳や摘要情報を事前に登録する必要がなく、勘定科目を入力することで最適な摘要語句候補を表示し、選択することで仕訳を効率よく作成することができる。
【０００７】
また、特許文献１では頻繁に発生する仕訳や担当者がよく使う仕訳の摘要情報を仕訳辞書に事前に登録する必要があるので、事前に辞書に登録する作業が発生するのに対し、本発明では担当者が登録する必要がないので、わざわざ辞書やテーブルの編集管理を行なう必要はないため、担当者の負担を軽減できる。
【０００８】
また、特許文献２では取引内容（例：飲食等）が同じで勘定科目（例：交際費や会議費等）が違う場合に取引状況が不明な為取引内容のチェックが不十分になるのに対し、本発明では取引内容だけでなく取引状況も記載することで各勘定科目に最適な摘要情報を作成することができる。
【０００９】
また、勘定科目毎に一般的な取引用語を集めた辞書から摘要項目の組み合わせを元に摘要情報を作成できる（例１）。前記例１は勘定科目と作成した摘要との組み合わせを全て登録しなければならないのに対し、１つの勘定科目に摘要項目の組み合わせを一定のパターンに分類した摘要類型を関連づけることで、勘定科目と作成した摘要との組み合わせのうち、必要最小限の組み合わせを登録するだけで済む。また、勘定科目を特定するのに必要最小限の取引項目や取引状況等の取引情報を摘要類型にまとめることで、勘定科目を選択した時に適切な摘要情報が作成される。
【００１０】
また、勘定科目と関連する摘要の組み合わせを複数設定することで、借方勘定科目の関連する借方摘要類型と貸方勘定科目の関連する貸方摘要類型を比較し、一致する摘要類型を使用することにより、作成する摘要情報の精度を高めることができる。また、摘要類型の項目（日付や金額等）によって定型的な処理で使用される摘要（１１月家賃や月額５０，０００円）から一部の用語（１１月や５０，０００円）を除外することで、登録する摘要の数を減らし、摘要の登録を効率化できる。
【００１１】
また、勘定科目を入力し、摘要情報をテンプレート化することで入力の効率化ができる（例２）。前記例２は事前に摘要項目の順番が固定化され、各項目を辞書等に事前に登録しておく必要があるのに対し、勘定科目と関連する摘要類型を勘定科目毎に設定する事により、摘要項目の順番や内容が勘定科目毎に自由に設定する事ができる。
【図面の簡単な説明】
【００１２】
【図１】本実施形態に係る会計処理システム１００の全体構成を示す図である。
【図２】本実施形態に係る会計処理装置１の機能ブロックを示す図である。
【図３】本実施形態に係る会計処理装置での処理で使用する会社ＤＢの例を示す図である。
【図４】本実施形態に係る会計処理装置での処理で使用する仕訳データＤＢの例を示す図である。
【図５】本実施形態に係る会計処理装置での処理で使用する科目摘要テーブルの例を示す図である。
【図６】本実施形態に係る会計処理装置での処理で使用する摘要類型テーブルの例を示す図である。
【図７】本実施形態に係る会計処理装置での処理で使用する科目摘要パターンテーブルの例を示す図である。
【図８】本実施形態に係る会計処理装置での処理で使用するキーワード辞書の例を示す図である。
【図９】本実施形態に係る会計処理装置での処理（実施例１）を示すフローチャートである。
【図１０】本実施形態に係る会計処理装置での処理（実施例２）を示すフローチャートである。
【図１１】本実施形態に係る会計処理装置での処理（実施例３）を示すフローチャートである。
【発明を実施するための形態】
【００１３】
以下、本発明を実施するための実施形態について図面を参照して説明する。なお、実施の形態において同じ符号を付した構成要素は同様の動作を行うので、再度の説明を省略する場合がある。
【００１４】
＜会計処理システム１００の全体構成＞
図１は、本実施形態に係る会計処理システム１００の全体構成を示す図である。
図２は、本実施形態に係る会計処理装置１の機能ブロックを示す図である。
【００１５】
図１に示す会計処理システム１００は、主に会計データ保存や計算処理を行なうサーバ装置１ａと処理を行なうためのデータ入力および指示を行なう端末１ｂとがネットワークで接続され、協働して会計処理を行なうシステム構成となっている。また、顧問先から依頼を受けた会計事務所の会計処理装置１が、各種の業務用アプリケーションプログラム（以下、アプリケーションプログラムのことを、「プログラム」ともいう。）を実行して会計処理を行うシステムである。
【００１６】
会計処理システム１００は、例えば、サーバ１ａと、複数台の端末１ｂとにより構成される。サーバ１ａは、端末１ｂから受信した操作データに基づいて処理を行う。複数台の端末１ｂは、例えば、税理士や公認会計士である先生やベテラン職員である番頭等の会計事務所で業務を行なう業務処理担当者（以下、「担当者」や会計事務所だと「職員」、顧問先（会計事務所と顧問契約を結んだ企業）だと「社員」ともいう。）が操作する端末である。なお、会計事務所で説明しているが、企業内の経理や会計処理を行なう部署でもよい。
【００１７】
また、図１では、会計処理システム１００を、サーバ１ａと、端末１ｂとからなるものとして説明しているが、これは、一例である。例えば、会計事務所内のサーバと端末をネットワークで接続したシステムや会計事務所と顧問先間の会計処理システムや本社営業所間の会計処理システムや本社支社間の会計処理システムや本支店間の会計処理システムであってもよい。
【００１８】
会計処理装置１は、例えば、会計事務所に設けられ、各種会計処理を行う装置であり、サーバ１ａと、端末１ｂ等の１装置（単体機）が該当する。会計処理装置１は、各種の会計処理に対応する複数の業務処理を行う。また、会計処理装置１は、例えば、１台のスタンドアロン（単体機）のコンピュータ（ＰＣ）で構成されていてもよい。また、会計処理装置１は、複数台のＰＣによって構成されたワークステーション（ＷＳ）であってもよい。このように、装置構成は、単体機として処理してもよいし、サーバ装置１ａと端末１ｂをネットワークで接続されたシステムの構成として実現してもよい。
【００１９】
また、会計処理装置１は、会計事務所ではなく、顧問先企業内にあったり、業務委託等のサービスを行っている企業内であったり、クラウドサービスであってもよい。例えば、端末１ｂは、必ずしも会計事務所内に設けられる必要はなく、外出先や自宅勤務の職員の端末や、外注先の職員の端末も含まれる。また、会計処理装置１は携帯電話、タブレット等の携帯端末やデジタルカメラやスキャナ等であってもよい。
【００２０】
さらに、その他、会計処理装置１は、サーバ装置のみ、あるいは複数のサーバ装置で構成されていてもよく、会計事務所のサーバ装置である場合の他、複数の企業（の従業員）の会計ファイルを預かって管理するサービスを行うＩＤＣ（インターネットデータセンター）のサーバ装置でもよい。
【００２１】
さらに、会計処理装置１は、実体が仮想化された仮想マシンやクラウドであってもよい。
さらにまた、企業の本社等が各部門や各支店（の従業員）等を対象に財務管理を行う場合には、会計処理装置１は、企業内のサーバ装置であってもよい。
会計処理装置１は、本発明の処理を専用的に行う装置であってもよいし、会計処理を行う装置が、様々な機能のうちの１つとして、会計処理装置１の機能を有してもよい。
【００２２】
また会計処理装置１は、例えば、顧問先に設けられ、顧問先のレシートや領収書等の伝票（原始証憑）を読み取って、伝票画像を生成する装置のように使用してもよい。伝票（原始証憑）は、例えば、顧問先から郵送によって、又は、顧問先の担当者が持参することによって、会計事務所に届けられたものである。なお、本支店間等で行う場合は、会計処理装置１が本店内又は本社経理部内及び支店内又は各拠点の営業所内や支社内の両方の場所にあればよい。
【００２３】
上述の実施の形態は、コンピュータハードウェア及びその上で実行されるコンピュータプログラムで実現され得る。なお、上記プログラムにおいて、情報を送信する送信や、情報を受信する受信などでは、ハードウェアによって行われる処理、例えば、送信におけるモデムやインターフェースカードなどで行われる処理（ハードウェアでしか行われない処理）は含まれない。
【００２４】
また、上記プログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（端末情報送信部、端末情報受信部など）は、物理的に一の媒体で実現されても良いことは言うまでもない。会計処理装置１は単体機として処理してもよいし、会計処理装置１を使用するサーバ装置１ａと会計処理装置１を使用する端末１ｂをネットワークで接続された会計処理システム１００として実現してもよい。
【００２５】
また、上記各実施の形態において、各処理（各機能）は、単一の装置（システム）によって集中処理されることによって実現されてもよく、あるいは、複数の装置によって分散処理されることによって実現されてもよい。
本発明は、以上の実施の形態に限定されることなく、種々の変更が可能であり、それらも本発明の範囲内に包含されるものであることは言うまでもない。また、これはあくまでも一例であって、本発明の技術的範囲はこれに限られるものではない。
【００２６】
図２は、本実施の形態における会計処理装置１のブロック図である。
＜会計処理装置１＞
会計処理装置１は、記憶部３０、制御部１０を備える。
図２に示すように、会計処理装置１は、制御部１０と、記憶部３０と、入力部４５と、表示部を４６と、通信部４９とを備える。図１の会計処理装置１の構成によれば、サーバ装置１ａは、制御部１０と、記憶部３０と、通信部４９とに相当し、端末１ｂは、入力部４５と、表示部４６とに相当する。
【００２７】
制御部１０は、各種の会計処理に対応する複数の業務処理におけるプログラムを実行し、データ更新等のデータに関する処理や管理等を行なう。
また、制御部１０は、通常、ＭＰＵやメモリ等から実現され得る。制御部１０の処理手順は、通常、ソフトウェアで実現され、当該ソフトウェアはＲＯＭ等の記録媒体に記録されている。但し、ハードウェア（専用回路）で実現しても良い。
【００２８】
また、制御部１０は、会計処理装置１の全体を制御するＣＰＵ（中央処理装置）である。制御部１０は、記憶部３０に記憶されているＯＳ（オペレーティングシステム）やアプリケーションプログラムを適宜読み出して実行することにより、上述したハードウェアと協働し、各種機能を実行する。
また、制御部１０は、データ更新等のデータ管理を行なう管理部（図示せず）、データ比較等のデータ処理を行なう処理部（図示せず）とを備える。
【００２９】
記憶部３０は、通常、ＭＰＵやメモリ等から実現され得る。記憶部３０の処理手順は、通常、ソフトウェアで実現され、当該ソフトウェアはＲＯＭ等の記録媒体に記録されている。但し、ハードウェア（専用回路）で実現しても良い。
また、記憶部３０は、制御部１０が各種の処理を実行するために必要なプログラム、データ等を記憶するためのハードディスク、半導体メモリ素子等の記憶領域である。
記憶部３０は、プログラム記憶部（図示せず）と、取引先ＤＢ（図示せず）と、会社ＤＢ３１と、仕訳データＤＢ３２と、科目摘要テーブル３３と、摘要類型テーブル３４と、科目摘要パターンテーブル３５と、キーワード辞書３６とを備える。
【００３０】
プログラム記憶部は、各種プログラムを記憶する記憶領域である。プログラム記憶部は、会計処理等を行う等の各種機能を実行するためのアプリケーションプログラムを記憶している。取引先ＤＢは会社ＤＢの会社の取引先の情報を記憶したデータベースである。取引先ＤＢは、取引先を識別する識別情報である取引先ＩＤに対応付けて業種、どの会社の取引先を示す会社ＩＤ、取引先名、住所、店舗名の他、電話番号、企業ロゴ、取引担当者等の取引先に関するデータを記憶する。これらの取引先のデータは売上、仕入、売掛金、買掛金等の相手先として利用される。
【００３１】
アプリケーションプログラムとして１つのプログラムによって上述した制御部１０の各種機能を実行して記載したが、機能ごとに細分化した複数のプログラムとして上述した制御部１０の各種機能を実行してもよい。
【００３２】
図３に示す会社ＤＢ３１は、会社コードをキーに、会計処理の対象となる会社情報を記憶する。会社ＤＢ３１は、会社コードと、組織コードと、会社名と、組織名と、種類と、年度と、住所と、組織長と、区分と、登録場所と、担当者とを対応付けて記憶している。会計事務所がこの会計処理装置１を複数の顧問先に対して使用する場合の他、企業が本支店間（図示せず）や本社支社間（図示せず）や本社と各拠点の営業所間で使用する場合（図示せず）にも対応している。
【００３３】
図３に示す会社ＤＢ３１では、会社コードは、顧問先を識別する識別情報であり、組織店コードその企業の本支店や本社支社や所属部署を識別する識別情報である。業種は製造業や小売業等のその企業の事業の種類である。会社名はその企業（例：ＡＢＣ工業等）の名称であり、組織名は本社や支社や営業所等のその企業の拠点（例：○島支社等）や経理部や営業等の部署の名称である。種類は会計や税務や経理等の業務の種類である。住所はその企業の組織の住所である。組織長は本社であれば代表者（例：ＡＢＣ工業なら○山×男）等のその企業の組織の長の名称である。区分は法人や個人等の区分である。登録場所は会社毎の仕訳データ等の業務データの保存先である。担当者は会計処理等の業務の担当者である。
【００３４】
会社ＤＢ３１は、図３に記載の各項目の他、例えば、代表者名、企業ロゴ、ＤＢ登録日、事業形態、受任業務等を記憶してもよい。代表者名は、例えば、企業の親子関係の紐付けに用いてもよい。ＤＢ登録日は、顧問契約日や支店設置日が該当する。事業形態は、法人事業であるか、個人事業であるか、単なる個人であるか等である。受任業務は、会計業務（月次監査、決算等）、税務（法人税申告、青色申告等）である。
【００３５】
仕訳データＤＢ３２は、仕訳データを識別する仕訳ＩＤをキーにして、仕訳データを記憶するデータベースである。
仕訳データＤＢ３２は、仕訳データを識別する仕訳ＩＤに対応付けて、仕訳データと、伝票画像受付部１１が受け付けた伝票画像を識別する伝票ＩＤとを記憶する。また、仕訳データＤＢ３２に記憶された仕訳データは、編集画面を用いて入力及び編集がされることにより、更新することができる。
【００３６】
図４に示す仕訳データＤＢ３２は、仕訳ＩＤと、会社コードと、組織コードと、日付と、借方科目（借方勘定科目）と、貸方科目（貸方勘定科目）と、金額と、摘要と、伝票ＩＤと、伝票分類と、伝票内容とを対応付けて記憶している。ここで、日付は、仕訳データの発生日付であり、伝票画像に含まれる日付と同じである。金額は単一仕訳の借方金額や貸方金額である。単一仕訳の場合は借方金額と貸方金額を同じ金額になるからである。また、借方金額と貸方金額が異なる複合仕訳を作成できるよう借方金額、貸方金額に項目を分けて記憶してもよい。摘要は、科目に対する補足内容である。伝票分類は伝票画像がレシート、領収書等である伝票（原始証憑）の分類である。伝票内容は伝票画像からＯＣＲ等を利用した文字認識処理に取得したテキスト情報の内容である。詳細は後述するが、このテキスト情報は摘要情報を自動作成するのに利用される。
【００３７】
図５に示す科目摘要テーブル３３は勘定科目とその貸借（借方、貸方）と摘要類型の関連付けを示す図である。勘定科目と貸借（借方、貸方）と摘要類型を対応付けて記憶している。  
また、摘要類型は取引内容や取引状況を取引カテゴリ毎に分類したものである。また、摘要類型と入力された勘定科目と関連付けて登録する科目摘要テーブルである。図５に記載の各項目の他、例えば、使用回数等の優先順位による重みづけ等を行なう項目を記憶してもよい。重みづけを行なうことでよく使われる勘定科目と関連する摘要類型を優先順位の高い順に表示させ担当者に選択させるようにしてもよいし、使用回数の多い摘要類型を学習しフィードバックを行なうことにより会社毎や年月毎に最適な摘要類型テーブルを作成することができる。
【００３８】
また、摘要類型は勘定科目とその貸借と勘定科目に関連する取引カテゴリの組み合わせにより、現金の借方の場合は売上、売掛、物品購入、その他入金、預金のような現金の勘定科目が借方に仕訳される取引カテゴリが記憶されている。同様に現金の貸方の場合は飲食、交通、物品購入、公共料金・税金、仕入、買掛、未払、その他支払、預金のような現金の勘定科目が貸方に仕訳される取引カテゴリが記憶されている。預金については現金の借方、貸方両方存在するが、現金の借方の場合の預金は預金から引き出しであり、現金の貸方の場合の預金は預金への預け入れである。摘要類型を利用することにより、勘定科目をキーに勘定科目と関連する取引カテゴリを絞り込むことができる。
【００３９】
図６に示す摘要類型テーブル３４は取引内容や取引状況の組み合わせを取引カテゴリ毎にまとめた摘要項目構成を示す図である。また、摘要項目とは取引内容や取引状況をキーワード毎に分解しカテゴリ毎にまとめたものである。また、摘要項目の組み合わせである摘要項目構成と摘要類型を関連付けて登録する摘要類型テーブルである。摘要類型テーブル３４は摘要類型と、摘要項目構成の項目数と、摘要項目構成の各項目の内容を対応付けて記憶している。図６に記載の各項目の他、例えば、使用回数等の優先順位による重みづけ等を行なう項目を記憶してもよい。
【００４０】
重みづけを行なうことでよく使われる勘定科目と関連する摘要類型のうち、同じ摘要類型（例：交通）であっても摘要項目構成が異なる場合（「交通」−「交通／運賃／内容／支払先／訪問先／訪問理由」や「交通」−「交通／宿泊等／内容／支払先／宿泊先／訪問理由」等）に優先順位の高い順に表示させ担当者に選択させるようにしてもよいし、使用回数の多い摘要類型を学習しフィードバックを行なうことにより会社毎や年月毎に勘定科目と関連する最適な摘要類型テーブルを作成することができる。年月毎に最適化することで最新の傾向を反映した会社毎の摘要類型テーブルを作成してもよい。
【００４１】
図６では摘要項目構成が異なっても摘要類型で同じ名称（例：交通）を使用しているが、摘要項目構成が異なっている場合に異なる名称（例：交通１、交通２等）を用いてもよい。摘要類型テーブルで異なる名称（例：交通１、交通２等）を使用する場合は科目摘要テーブル３３の摘要類型も異なる名称（例：交通１、交通２等）で記憶される。
【００４２】
図７に示す科目摘要パターンテーブル３５は摘要語句の組み合わせを定型化した摘要パターンと勘定科目の組み合わせの関連付けを示す図である。また、摘要パターンは摘要情報を構成する１以上の摘要語句の組み合わせである。また、摘要パターンと入力された勘定科目を関連付けて登録する科目摘要パターンテーブルである。科目摘要パターンテーブル３５は借方科目と、貸方科目と、摘要パターンと、登録回数を対応付けて記憶している。登録回数は担当者により摘要語句を選択して作成された摘要情報が科目パターンテーブルに登録された回数である。
【００４３】
図７に記載の各項目の他、例えば、使用回数等の優先順位による重みづけ等を行なう項目を記憶してもよい（変形摘要パターン例）。使用回数を追加する場合は摘要パターン（例：書籍代  −  雑誌Ａ  −  コンビニＥ  −  １冊）のうちよく使われる部分の摘要語句の組み合わせを摘要パターン１（例：書籍代  −  雑誌Ａ）、それ以降の摘要語句の組み合わせを摘要パターン２（例：コンビニＥ  −  １冊）とすることにより摘要パターン１の重みづけを登録回数で行い、摘要パターン２の重みづけを使用回数で行なう。
【００４４】
摘要パターン１（例：書籍代  −  雑誌Ａ）は同じだが摘要パターン２（例：Ｄ書店  −  １冊）が異なる場合は図７の場合だと摘要パターン（例：「書籍代  −  雑誌Ａ  −  コンビニＥ  −  １冊」、「書籍代  −  雑誌Ａ  −  Ｄ書店  −  １冊」等）を検索することになるが、変形摘要パターン例だと、摘要パターン１（例：書籍代  −  雑誌Ａ）を検索した上で、摘要パターン２（例：「コンビニＥ  −  １冊」、「Ｄ書店  −  １冊」等）を検索することで、図７の場合に比べてよく使われる勘定科目の組み合わせと関連する摘要パターンを絞り込むことで摘要パターンの検索時間を減らせるので、摘要パターン１と摘要パターン２の組み合わせである摘要パターンから優先順位の高い順に表示される摘要語句候補の表示時間を短くさせることができ、選択された摘要パターン１と摘要パターン２の組み合わせを学習しフィードバックを行なうことにより会社毎や年月毎に最適な摘要パターンテーブルを作成することができる。年月毎に最適化することで最新の傾向を反映した会社毎の摘要パターンテーブルを作成してもよい。
【００４５】
具体的には前記会社ＤＢから選択した会社コードをキーとして前記仕訳データＤＢから一致する仕訳データの摘要情報に含まれる摘要語句を前記摘要パターンテーブルから抽出し、会社毎の摘要パターンテーブルを作成する。また、参照対象となる過去取引の発生時期が設定された参照設定（図示せず）を元に会計処理対象の取引の発生年月である対象年月を取得し、前記対象年月および前記参照設定に基づいて、参照対象となる過去取引の発生した年月日を限定するための参照期間を決定したうえで、当該参照期間をキーに前記仕訳データＤＢから一致する仕訳データの摘要情報に含まれる摘要語句を前記摘要パターンテーブルから抽出し、年月毎の摘要パターンテーブルを作成する。
【００４６】
図８に示すキーワード辞書３６は過去に登録された仕訳データの摘要情報から摘要語句毎に分解し、取引先や人名等のカテゴリと対応付けた摘要の文字列（語句）であるキーワードと勘定科目の関連付けを示す図である。また、入力された勘定科目と関連する摘要語句に取引内容を示すカテゴリを関連付けたキーワードとして登録するキーワード辞書である。キーワード辞書３６はキーワードと、勘定科目と、貸借と、カテゴリ、項目と、処理と、助詞と、表示回数と、選択回数を対応付けて記憶している。カテゴリはキーワードと取引カテゴリの対応づけることにより、勘定科目（例：旅費交通費と給料手当て）と関連がないが同じカテゴリ（例：人名）にある場合に、摘要語句候補がない場合（例：過去に交通費の精算をしたことない社員を摘要語句候補として表示）等に同じカテゴリ（例：人名）のキーワード（例：給与を払っているので過去に交通費の精算をしたことない社員を候補として抽出できる）を優先して摘要語句候補として利用できる。
【００４７】
項目は摘要類型テーブルの摘要項目構成の各項目の内容とキーワードが関連付けられており、摘要項目構成の項目に該当するキーワードを摘要語句候補として利用できる。処理はキーワードと関連付けられた特定の処理を行なうことで、摘要語句候補に日付や金額を追加した語句（例：日付が１１月２４日、金額が５０，０００円、キーワードが「家賃」で処理が日付だと摘要語句候補は「１１月家賃」、処理が金額だと摘要語句候補は「家賃５０，０００円」）を表示でき、新たにキーワード辞書に登録する場合に数字だけが異なるキーワードを登録しなくて済む（例：「１１月家賃」、「１２月家賃」、「１０月家賃５０，０００円」のキーワードがあった場合に異なるキーワードであるため、通常は全部登録することになるが、「月家賃」で登録すれば「月家賃」、「家賃５０，０００円」の登録は２つで済むし、「家賃」とすれば登録は１つで済む）。助詞は摘要情報を作成する際に助詞を利用して文章整形処理を行うことで自然な文章の摘要情報を作成することできる。
【００４８】
図８に記載の各項目の他、例えば、助詞を使用するかしないかのフラグ等を記憶してもよい。表示回数はそのキーワードを摘要語句候補として表示した回数である。選択回数は摘要語句候補からそのキーワードを選択した回数である。表示回数や選択回数を利用した重みづけを行なうことでよく使われる勘定科目と関連する摘要類型を優先順位の高い順に表示させ担当者に選択させるようにしてもよいし、表示回数や選択回数の多い摘要類型を学習しフィードバックを行なうことにより会社毎や年月毎に最適なキーワード辞書を作成することができる。年月毎に最適化することで最新の傾向を反映した会社毎のキーワード辞書を作成してもよい。
【００４９】
具体的には前記会社ＤＢから選択した会社コードをキーとして前記仕訳データＤＢから一致する仕訳データの摘要情報に含まれる摘要語句を前記キーワード辞書から抽出し、会社毎のキーワード辞書を作成する。また、参照対象となる過去取引の発生時期が設定された参照設定（図示せず）を元に会計処理対象の取引の発生年月である対象年月を取得し、前記対象年月および前記参照設定に基づいて、参照対象となる過去取引の発生した年月日を限定するための参照期間を決定したうえで、当該参照期間をキーに前記仕訳データＤＢから一致する仕訳データの摘要情報に含まれる摘要語句を前記キーワード辞書から抽出し、年月毎のキーワード辞書を作成する。
【００５０】
図２の入力部４５は、キーボードやマウス等の入力装置である。また、入力部４５は、タッチパネルやペン入力であってもよい。また、入力部４５は、音声入力するためのマイク等や画像入力のためのカメラ、スキャナ等の入力装置であってもよい。
表示部４６は、ＬＣＤ（液晶ディスプレイ）等で構成される表示装置である。
通信部４９は、例えば、スキャナ等の伝票画像読み取り装置や、通信ネットワークを介して外部装置との間での通信を行うインタフェースである。
なお、本発明でいうコンピュータとは、制御部、記憶装置等を備えた情報処理装置をいい、会計処理装置１は、制御部１０、記憶部３０等を備えた情報処理装置であり、本発明のコンピュータの概念に含まれる。
【００５１】
＜会計処理装置１の処理＞
次に、会計処理装置１による処理について説明する。
図９は、本実施形態に係る会計処理装置１での処理を示すフローチャートである。
実施例１の処理をフローチャートで説明する。なお、実施例２、実施例３や各実施例の変形例等の別の記載例については、実施例１との差異のみを記載し、共通部分の記載は省略する。
【００５２】
担当者（例：会計事務所の職員や経理部の社員等）が会計アプリを起動し、会計処理を行う会社（例：ＡＢＣ工業）を選択し、会計処理年度（例：平成２９年度）及び処理する年月（例：平成２９年１１月）を設定する。会社ＤＢから選択された会社の決算年度等を含む会社情報を取得し、選択した会計処理年度の会計データの入力画面を表示する（ステップＳ（以下、単に「Ｓ」という。）１０１）。
【００５３】
１つの取引について領収書やレシートを見ながら該当する取引で、日付（例：１１月２０日）、借方の勘定科目（例：交際費）、貸方の勘定科目（例：現金）、金額（例：８，０００円）を入力する。なお、領収書やレシートについては、事前に電子化して、イメージを表示させて参照しながら入力するようにしてもよい（Ｓ１０２）。
【００５４】
科目摘要パターンテーブルを参照して入力された勘定科目である借方科目（例：借方科目−交際費）と貸方科目（例：貸方科目−現金）をキーにして一致する摘要パターン（例：「タクシー代  −  立替精算  −  ○田太郎」、「タクシー代  −  東□商事接待  −  ×島三郎」、「手土産代  −  東□商事様へ  −  ○田太郎」、「手土産代  −  △木商会様へ  −  ○田太郎」等）を取得する。
【００５５】
借方科目と貸方科目をキーにして一致する摘要パターンが複数あるので、摘要パターンを複数まとめて摘要パターンリストを作成する。摘要パターンリストを前記摘要パターンの登録回数の多い順に優先順位付けを行い、摘要パターンを並べ替える（例：「タクシー代  −  立替精算  −  ○田太郎」（登録回数７回）、「タクシー代  −  東□商事接待  −  ×島三郎」（登録回数５回）、「バス代  −  △木商会様へ  −  ○田太郎  −  商談」（登録回数４回）、「手土産代  −  東□商事様へ  −  ○田太郎」（登録回数３回）等）。並べ替えた摘要パターンリストから登録回数の最も多い摘要パターン（例：摘要パターン「タクシー代  −  立替精算  −  ○田太郎」（登録回数７回））を取得する（Ｓ１０３）。
【００５６】
キーワード辞書を参照して前記摘要パターンリストからキーワード毎に分解して各摘要パターンの摘要語句と摘要語句を取得する（例：摘要パターン「タクシー代  −  立替精算  −  ○田太郎」から摘要語句数３と「タクシー代」、「立替精算」、「○田太郎」の摘要語句を取得する）。次に摘要パターンリストを摘要語句使用数合計の多い順に摘要パターンリストの摘要パターンから最初の摘要語句候補を表示する。具体的には摘要パターンリストの各摘要パターンの最初の摘要語句をそれぞれ抽出し、抽出した摘要語句を優先順位の高い順に並べることで摘要語句候補（例：「タクシー代」、「手土産代」等）として表示する（Ｓ１０４）。
【００５７】
摘要語句候補の表示としては後述する「未選択」（固定）、「優先順位の高い順に摘要パターンリストから絞り込まれた複数の摘要語句（例：「タクシー代」、「手土産代」等）」（可変）、後述する「直接入力」（固定）の順に表示される。
なお、抽出した摘要語句で摘要語句が重複する場合は重複する摘要語句の２つ目以降の摘要語句を除外する除外処理を行なう（例：上記４つの摘要パターンの場合は最初の摘要語句として「タクシー代」、「タクシー代」、「バス代」、「手土産代」が取得されるが、除外処理により候補は「タクシー代」、「バス代」、「手土産代」となる）。
【００５８】
また、実施例では登録回数による優先順位により摘要語句候補を表示しているが、摘要パターンの登録更新日が最近の摘要パターンや摘要語句使用数合計や摘要語句使用数や摘要語句と一致するキーワードの表示回数または選択回数を元に優先順位をつけてもよいし、摘要語句使用数合計、摘要語句使用数、登録回数、登録更新日、表示回数、選択回数を利用した重みづけによる優先順位をつけてもよい。
【００５９】
Ｓ１０４で表示された摘要語句候補（例：「タクシー代」）を選択して摘要語句として確定させる（Ｓ１０５）。摘要語句候補として表示された摘要語句の表示回数に１を加算し、キーワード辞書を更新する。また、選択した摘要語句候補の選択回数に１を加算し、キーワード辞書を更新する。本実施例は表示回数と選択回数の両方を更新しているが、優先順位で利用する項目だけを更新するようにしてもよい。Ｓ１０３で取得した摘要パターンから取得した摘要語句数が１の場合（Ｓ１０６：Ｎｏ）はＳ１１２へ移動する。
【００６０】
またＳ１０３で取得した摘要パターンから取得した摘要語句数が２以上の場合（Ｓ１０６：Ｙｅｓ）はＳ１０８からＳ１１１までの処理を摘要語句数数だけ繰り返す（Ｓ１０７）。      
摘要語句数の数だけ摘要語句候補を順に表示することで段階的に摘要語句が絞り込まれ、使用頻度の高い摘要語句や前の摘要語句と関連性の高い摘要語句が適切に摘要語句候補として表示される。
また、Ｓ１０６の判断条件は摘要語句数が２以上で判断しているが、摘要パターンの摘要語句が単数なのか複数なのかが判断できる条件であればどのような条件でもよい。
【００６１】
また、摘要パターンに登録されている摘要語句が１つの場合は摘要語句候補としてそのまま表示し、選択した摘要語句候補を摘要として確定させる。摘要語句候補に選択肢がない場合は直接摘要語句を入力してもよいし、過去に登録された仕訳データの摘要情報から摘要語句毎に分解し、取引先や人名等のカテゴリと対応付けたキーワード辞書から取引先や人名等のカテゴリを選択して摘要語句候補を表示してもよい。摘要語句候補として表示された摘要語句の表示回数に１を加算し、キーワード辞書を更新する。また、選択した摘要語句候補の選択回数に１を加算し、キーワード辞書を更新する。本実施例は表示回数と選択回数の両方を更新しているが、優先順位で利用する項目だけを更新するようにしてもよい。
【００６２】
つまり、仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録することにより前記キーワード辞書にフィードバックを行なうことでキーワード辞書が学習によりよく使われる最適なキーワードを効率よく登録できる。また、仕訳データを仕訳データＤＢに登録する際に、前記摘要パターンテーブルに前記摘要情報の登録の有無により、該当摘要情報と一致する摘要パターンの選択回数に１を追加又は該当摘要情報を新たな摘要パターンとして自動で登録することにより前記摘要パターンテーブルにフィードバックを行なうことで摘要パターンテーブルが学習によりよく使われる最適な摘要パターンを効率よく登録できる
【００６３】
また、Ｓ１０３で取得した摘要パターンから当該選択した摘要語句候補（例：「タクシー代」）を含む摘要パターン（例：「タクシー代  −  立替精算  −  ○田太郎」、「タクシー代  −  東□商事接待  −  ×島三郎」等）のみを抽出するようにしてもよい（Ｓ１０８）。
【００６４】
抽出した摘要パターンから選択した摘要語句候補の次の摘要語句（選択した摘要語句候補が最初の語句なので、次の摘要語句は２番目となる）を抽出し、抽出した摘要語句を摘要語句候補（例：「立替精算」、「東□商事接待」等）として表示する（Ｓ１０９）。
【００６５】
また、表示された摘要語句候補（例：「立替精算」、「東□商事接待」等）から選択（例：「立替精算」）する。選択した摘要語句候補の選択回数に１を加算し、キーワード辞書を更新する（Ｓ１１０）。摘要語句候補に選択肢がない場合は直接摘要語句を入力してもよいし、キーワード辞書から取引先や人名等のカテゴリを選択して摘要語句候補を表示してもよい。摘要語句候補として表示された摘要語句の表示回数に１を加算し、キーワード辞書を更新する。
【００６６】
確定させた摘要語句（例：「タクシー代」）に選択した摘要語句候補選択（例：「立替精算」）を結合し、摘要語句として確定させる（Ｓ１１１）。Ｓ１１１の処理について本実施例ではそのまま結合しているが、確定させた摘要語句に助詞を追加することで文章整形処理を行ってから、結合してもよい。
【００６７】
変形例の具体的な内容は借方科目と貸方科目をキーにして一致する摘要パターンが複数あるので、摘要パターンを複数まとめて摘要パターンリストを作成する。借方科目（例：借方科目−交際費）をキーとしてキーワード辞書から借方科目に関連付けられたキーワードである借方キーワード（例：タクシー代、立替精算、○田太郎等）を取得する。また貸方科目（例：貸方科目−現金）をキーとしてキーワード辞書から貸方科目に関連付けられたキーワードである貸方キーワード（例：タクシー代、立替精算、現金支払等）を取得する。
【００６８】
次に取得した借方キーワードと貸方キーワードをそれぞれキーとして一致する摘要語句を摘要パターンリストから摘要パターン毎に取得し、取得した語句毎に一致する数で摘要語句使用数（「摘要語句（摘要語句使用数）」で表示）を集計する（例：「タクシー代（７回）  −  立替精算（５回）  −  ○田太郎（４回）」、「タクシー代（７回）  −  東□商事接待（３回）  −  ×島三郎（３回）」、「手土産代（５回）  −  東□商事様へ（５回）  −  ○田太郎（４回）」、「バス代（５回）  −  △木商会様へ（３回）  −  ○田太郎（４回）  −  商談（５回）」等）。
【００６９】
Ｓ１０３で取得した摘要パターンの取得した摘要語句毎の摘要語句使用数を集計し摘要パターン毎の摘要語句使用数合計（「摘要パターン（摘要語句使用数合計）」で表示）を取得する（例：「タクシー代（７回）  −  立替精算（５回）  −  ○田太郎（４回）」（１６回）、「タクシー代（７回）  −  東□商事接待（３回）  −  ×島三郎（３回）」（１３回）、「手土産代（５回）  −  東□商事様へ（５回）  −  ○田太郎（４回）」（１１回）、「バス代（５回）  −  △木商会様へ（３回）  −  商談  −  ○田太郎（４回）」（１２回）等）。
【００７０】
摘要パターンリストに含まれるすべての摘要パターンを分解し、摘要語句数と摘要語句を取得する（例：摘要パターン「タクシー代  −  立替精算  −  ○田太郎」から摘要語句数３と「タクシー代」、「立替精算」、「○田太郎」の摘要語句を取得する）。次に摘要パターンリストを摘要語句使用数合計の多い順に摘要パターンを並べ替える（例：「タクシー代（７回）  −  立替精算（５回）  −  ○田太郎（４回）  摘要語句数３」（１６回）、「タクシー代（７回）  −  東□商事接待（３回）  −  ×島三郎（３回）  摘要語句数３」（１３回）、「バス代（５回）  −  △木商会様へ（３回）  −  ○田太郎（４回）  −  商談（５回）  摘要語句数４」（１２回）、「手土産代（５回）  −  東□商事様へ（５回）  −  ○田太郎（４回）  摘要語句数３」（１１回）等）。
【００７１】
並べ替えた摘要パターンリストから摘要語句使用数合計の最も多い摘要パターン（例：摘要パターン「タクシー代  −  立替精算  −  ○田太郎」（１６回））を取得する（Ｓ１０３）。摘要パターンリストの摘要パターンから最初の摘要語句候補を表示する。具体的には摘要パターンリストの各摘要パターンの最初の摘要語句をそれぞれ抽出することで段階的に摘要語句が絞り込まれ、抽出した摘要語句を摘要語句候補（例：「タクシー代」、「手土産代」等）として表示する（Ｓ１０４）。
【００７２】
Ｓ１０３で取得した摘要パターン（例：摘要パターン「タクシー代  −  立替精算  −  ○田太郎」（１６回）  摘要語句数３）から摘要語句数が３であり、最初の摘要語句候補の最上位は「タクシー代」、２番目の摘要語句数の最上位は「立替精算」、最後の摘要語句候補の最上位は「○田太郎」となる。次に摘要語句使用数合計の多い順に摘要パターンを並べ替えた摘要パターンリスト（例：タクシー代（摘要語句使用数：７回）  −  立替精算（摘要語句使用数：５回）  −  ○田太郎（摘要語句使用数：４回）  摘要語句数３」（摘要語句使用数合計：１６回）、「タクシー代（７回）  −  東□商事接待（３回）  −  ×島三郎（３回）  摘要語句数３」（１３回）、「バス代（５回）  −  △木商会様へ（３回）  −  ○田太郎（４回）  −  商談（５回）  摘要語句数４」（１２回）、「手土産代（５回）  −  東□商事様へ（５回）  −  ○田太郎（４回）  摘要語句数３」（１１回））に基づいて、パターンリストから「タクシー代（７回）、タクシー代（７回）、バス代（５回）、手土産代（５回）」が取得され、除外処理により最初の摘要語句候補は「タクシー代（７回）、バス代（５回）、手土産代（５回）」となる。
【００７３】
また、パターンリストから２つ目の摘要語句候補は「立替精算（５回）、東□商事接待（３回）、△木商会様へ（３回）、東□商事様へ（５回）」となる。また、パターンリストから「○田太郎（４回）、×島三郎（３回）、○田太郎（４回）、○田太郎（４回）」が取得され、除外処理により３つ目の摘要語句候補は「○田太郎（４回）、×島三郎（３回）」となる。本実施例では摘要パターンの摘要語句使用数合計による優先順位の高い順に表示をしているが、各摘要語句候補表示時に摘要語句使用数による優先順位の高い順に表示するように変更してもよい。
【００７４】
Ｓ１０５で確定した摘要語句（例：「タクシー代  −  立替精算  −  ×島三郎」）を摘要情報として入力を確定させる。仕訳データを作成後、仕訳ＤＢに登録する。仕訳データの登録時に、仕訳データの摘要情報が摘要パターンとして科目摘要パターンテーブルにあるかチェックし、当該摘要情報と一致する摘要パターンがない場合（Ｓ１１２：Ｎｏ）は当該摘要情報（例：「タクシー代  −  立替精算  −  ×島三郎」）を新たな摘要パターンとして科目摘要パターンテーブルに登録する（Ｓ１１４）。また、当該摘要情報と一致する摘要パターンがある場合（Ｓ１１２:Ｙｅｓ）は登録済みの一致する摘要パターンの登録回数に１を加算し、科目摘要パターンテーブルを更新する（Ｓ１１３）。
【００７５】
別の記載例として、日付（例：１１月２０日）、借方の勘定科目（例：地代家賃）、貸方の勘定科目（例：現金）、金額（例：５，０００円）の取引で摘要パターン「月分駐車場代  −  第２駐車場  −  月額」の場合に、キーワード辞書を参照し、「月分駐車場代」のキーワード辞書の処理欄の値が「日付」なので、Ｓ１０４やＳ１０５で日付から取得した「１１月」と抽出した「月分駐車場代」と結合した「１１月分駐車場代」を摘要語句候補として表示する。「１１月分駐車場代」を摘要語句候補として表示しているが、「月分駐車場代」を摘要語句候補として表示し、「月分駐車場代」が選択された段階で「１１月分駐車場代」を作成し摘要情報に代入してもよい。
【００７６】
また、Ｓ１０４やＳ１０５で日付から取得した「５，０００円」と抽出した「月額」と結合した「月額５，０００円」を摘要語句候補として表示する。「月額５，０００円」を摘要語句候補として表示しているが、「月額」を摘要語句候補として表示し、「月額」が選択された段階で「月額５，０００円」を作成し摘要情報に代入してもよい。さらに摘要語句候補にない場合に摘要語句に新たに追加した場合は、摘要語句候補の一番下の直接入力（図示せず）を選択し、摘要語句（例：「社用車」）を新たに入力する。入力が確定した段階で、キーワード辞書に登録される。
【００７７】
Ｓ１０６で科目摘要パターンテーブルに登録する際に「１１月分駐車場代  −  第２駐車場  −  月額５，０００円  −  社用車」等のように日付や金額が摘要情報に含まれている場合は、日付については日付の数字部分を除去し、金額については金額の数字と円等の単位を除去する処理をした上で「月分駐車場代  −  第２駐車場  −  月額  −  社用車」を新たな摘要パターンとして科目摘要パターンテーブルに登録する。
本実施例では、摘要パターンから摘要情報を作成しているが、摘要情報を作成する際に科目摘要テーブルを参照して、該当する摘要類型を設定した上で摘要パターンを摘要して摘要情報を作成するようにしてもよい。
【００７８】
本実施例により、担当者が事前に摘要情報を登録したり、仕訳データ入力時に摘要情報を手入力したりすることなく、摘要語句を選択するだけで簡単に摘要情報を作成することができ、仕訳データの入力の手間が軽減される効果がある。また、勘定科目を選択するのに必要な取引に関する情報を摘要情報として作成することができる。また選択を繰り返すことにより摘要語句候補の精度が高まり、前後の語句が関連付けていなくてもまるで連動しているかのような摘要語句候補を項目ごとに表示することができる。
【００７９】
さらに作成した摘要情報や選択した摘要語句を登録し、登録した摘要情報を摘要パターンテーブルやキーワード辞書にフィードバックすることで、摘要情報や摘要語句の学習を繰り返すことにより摘要情報作成や摘要語句候補の表示の精度が高まり、適切な摘要情報の作成や適切な摘要語句候補の表示をすることができる。「段階的に絞り込まれる」
【００８０】
実施例１は借方及び貸方の勘定科目と摘要パターンを対応付けた科目摘要パターンテーブルを利用した摘要情報を作成するのに対し、実施例２として摘要情報を作成する処理を図１０のフローチャートで説明する。
【００８１】
会計データの入力画面を表示するまでの処理はＳ１０１と同じため記載を省略する。１つの取引について領収書やレシートを見ながら該当する取引で、日付（例：１１月２０日）、金額（例：８，０００円）、借方の勘定科目（例：旅費交通費）、貸方の勘定科目（例：現金）を入力する（Ｓ２０１）。
【００８２】
入力された借方の勘定科目（例：旅費交通費）に科目摘要テーブルを参照して、対応する摘要類型である借方摘要類型（例：「交通」）を取得する（Ｓ２０２）。
【００８３】
入力された貸方の勘定科目（例：現金）に科目摘要テーブルを参照して、対応する摘要類型である貸方摘要類型（例：「飲食」、「交通」、「物品購入」、「その他支払」等）を取得する（Ｓ２０３）。
【００８４】
Ｓ２０２で取得した借方摘要類型（例：「交通」）とＳ２０３で取得した貸方摘要類型（例：「飲食」、「交通」、「物品購入」、「その他支払」等）を制御部が比較し、一致する摘要類型（例：「交通」）を借方摘要類型及び貸方摘要類型に設定する。一致する摘要類型が複数存在する場合はリストとして表示し、選択してもよいし、摘要類型に優先度を設定し優先度の高いものを設定するようにしてもよい（Ｓ２０４）。
【００８５】
摘要類型テーブルを参照して借方摘要類型（又は貸方摘要類型）で設定された摘要類型（例：「交通」）の摘要項目構成（例：「交通」−項目数７「交通／運賃／内容／支払先／訪問先／訪問理由」）を取得する（Ｓ２０５）。
【００８６】
Ｓ２０５で取得した摘要項目構成に基づいて、各項目についてキーワード辞書から勘定科目に関連付けられたキーワード（摘要語句）を摘要語句候補として優先順位の高い順に表示する（Ｓ２０７）。なお、優先順位は、表示回数や選択回数等を元に設定する。表示された摘要語句候補の摘要語句に該当するキーワードの表示回数に１を追加してキーワード辞書を更新する。
【００８７】
Ｓ２０５で表示された摘要語句候補から摘要語句を選択する。選択された摘要語句候補を摘要語句として確定し、確定した摘要語句に該当するキーワードの選択回数に１を追加してキーワード辞書を更新する。
（Ｓ２０８）。
【００８８】
Ｓ２０５で取得した摘要項目構成の項目の数（例：項目数７）だけＳ２０７，Ｓ２０８の処理を繰り返す（Ｓ２０６）。
【００８９】
各項目で選択した摘要語句候補をＳ２０５で取得した摘要項目構成の順番に結合し、摘要情報として作成する（Ｓ２０９）。具体的には項目数が２であれば、項目２に選択した摘要語句候補を摘要語句（例：タクシー代）として代入（確定）し、項目１（例：交通）に代入された摘要語句（例：８，０００円）の後に項目２（例：運賃）に代入された摘要語句を結合して摘要情報（例：タクシー代  ８，０００円）を作成する。
実施例ではそのまま結合しているが、各項目で選択した摘要語句候補に助詞を追加することで文章整形処理を行ってから、結合してもよい。
【００９０】
Ｓ２０９で作成した摘要情報を入力し、仕訳データを作成後、仕訳ＤＢに登録する。なお、今回入力した摘要情報を摘要パターンとして登録してもよい。
【００９１】
Ｓ２０７、Ｓ２０８について具体例を用いて説明する。日付（例：１１月２０日）、金額（例：８，０００円）、借方の勘定科目（例：旅費交通費）の場合は、摘要類型が「交通」となり、摘要類型テーブルを参照してＳ２０７で摘要項目構成（「交通」−「交通／運賃／内容／支払先／訪問先／訪問理由」）を取得する。
【００９２】
項目「交通」について、キーワード辞書から借方の勘定科目「旅費交通費」と項目「交通」と一致するキーワードを検索し、摘要語句候補として取得する。キーワード辞書から取得したキーワードはキーワード辞書の処理欄の値が「なし」なので、勘定科目（例：旅費交通費）に関連付けられたキーワードである「タクシー代」、「バス代」等を摘要語句候補として選択回数の多い順である「タクシー代」（選択回数７回）、「バス代」（選択回数５回）、…のように表示し、「タクシー代」を選択した場合は項目「交通」に「タクシー代」が代入され、次の項目「運賃」の設定に移る。
【００９３】
「タクシー代」、「バス代」等の摘要語句候補として表示された摘要語句の表示回数に１を加算し、キーワード辞書を更新する。また、選択した「タクシー代」（選択回数７回）の選択回数に１を加算し（選択回数８回）、キーワード辞書を更新する。本実施例は表示回数と選択回数の両方を更新しているが、優先順位で利用する項目だけを更新するようにしてもよい。
【００９４】
次に項目「運賃」について、キーワード辞書から借方の勘定科目「旅費交通費」と項目「運賃」と一致するキーワードを検索し、摘要語句候補として取得する。キーワード辞書から取得したキーワードである「運賃」、「料金」等はキーワード辞書の処理欄の値が「金額」なので、「運賃」、「料金」等が摘要語句候補として表示され、「運賃」を選択した場合は、項目「運賃」に摘要語句候補「運賃」と金額「８，０００円」が結合された「運賃８，０００円」が代入され、次の項目「内容」の設定に移る。
【００９５】
「運賃」、「料金」等の摘要語句候補として表示された摘要語句の表示回数に１を加算し、キーワード辞書を更新する。また、選択した「運賃」の選択回数に１を加算し、キーワード辞書を更新する。本実施例は表示回数と選択回数の両方を更新しているが、優先順位で利用する項目だけを更新するようにしてもよい。運賃を入力したくない場合は、摘要語句候補の上に「未選択」等の入力スキップ項目を用意しておき、「未選択」等の入力スキップ項目を摘要語句として選択した場合は項目「運賃」には空文字が代入される。
【００９６】
次に項目「内容」について、キーワード辞書から借方の勘定科目「旅費交通費」と項目「内容」と一致するキーワードを検索し、摘要語句候補として取得する。キーワード辞書から取得したキーワードである「立替精算」、「接待」等はキーワード辞書の処理欄の値が「なし」なので、「立替精算」、「接待」等は摘要語句候補として表示され、「未選択」を選択した場合は項目「内容」に空文字が代入され、次の項目「支払先」の設定に移る。「立替精算」、「接待」等の摘要語句候補として表示された摘要語句の表示回数に１を加算し、キーワード辞書を更新する。
【００９７】
次に項目「支払先」について、キーワード辞書から借方の勘定科目「旅費交通費」と項目「支払先」と一致するキーワードを検索し、摘要語句候補として取得する。キーワード辞書から取得したキーワードである「□京タクシー」、「都○バス」等はキーワード辞書の処理欄の値が「なし」なので、「□京タクシー」、「都○バス」等は摘要語句候補として表示され、「□京タクシー」を選択した場合は項目「支払先」に「□京タクシー」が代入され、次の項目「訪問先」の設定に移る。「□京タクシー」、「都○バス」等の摘要語句候補として表示された摘要語句の表示回数に１を加算し、キーワード辞書を更新する。
【００９８】
また、選択した「□京タクシー」の選択回数に１を加算し、キーワード辞書を更新する。本実施例は表示回数と選択回数の両方を更新しているが、優先順位で利用する項目だけを更新するようにしてもよい。
【００９９】
次に項目「訪問先」について、キーワード辞書から借方の勘定科目「旅費交通費」と項目「訪問先」と一致するキーワードを検索し、摘要語句候補として取得する。キーワード辞書から取得したキーワードである「東□商事」、「△木商会」等はキーワード辞書の処理欄の値が「なし」なので、「東□商事」、「△木商会」等は摘要語句候補として表示され、「未選択」を選択した場合は項目「訪問先」に空文字が代入され、次の項目「訪問理由」の設定に移る。「東□商事」、「△木商会」等の摘要語句候補として表示された摘要語句の表示回数に１を加算し、キーワード辞書を更新する。
【０１００】
次に項目「訪問理由」について、キーワード辞書から借方の勘定科目「旅費交通費」と項目「訪問理由」と一致するキーワードを検索し、摘要語句候補として取得する。キーワード辞書から取得したキーワードである「得意先回り」、「商談」等はキーワード辞書の処理欄の値が「なし」なので、「得意先回り」、「商談」等は摘要語句候補として表示され、「得意先回り」を選択した場合は項目「訪問理由」に「得意先回り」が代入され、次の項目はないため、Ｓ２０６に移る。
【０１０１】
「得意先回り」、「商談」等の摘要語句候補として表示された摘要語句の表示回数に１を加算し、キーワード辞書を更新する。また、選択した「得意先回り」の選択回数に１を加算し、キーワード辞書を更新する。本実施例は表示回数と選択回数の両方を更新しているが、優先順位で利用する項目だけを更新するようにしてもよい。
【０１０２】
Ｓ２０６により、摘要情報として「タクシー代  運賃８，０００円  （空文字）  □京タクシー  得意先回り」が入力される。文章整形処理をする場合は、「タクシー代として  運賃８，０００円を  （空文字）  □京タクシーに  得意先回りのため」として入力される。
【０１０３】
本実施例により、担当者が事前に摘要情報を登録したり、仕訳データ入力時に摘要情報を手入力したりすることなく、摘要語句を選択するだけで簡単に摘要情報を作成することができ、仕訳データの入力の手間が軽減される効果がある。また、勘定科目を選択するのに必要な取引に関する情報を摘要情報として作成することができる。
【０１０４】
また選択を繰り返すことにより摘要語句候補の精度が高まり、前後の語句が関連付けていなくてもまるで連動しているかのような摘要語句候補を項目ごとに表示することができる。さらに作成した摘要情報や選択した摘要語句を登録し、登録した摘要情報を摘要パターンテーブルやキーワード辞書にフィードバックすることで、摘要情報や摘要語句の学習を繰り返すことにより摘要情報作成や摘要語句候補の表示の精度が高まり、適切な摘要情報の作成や適切な摘要語句候補の表示をすることができる。
【０１０５】
実施例１と実施例２は摘要語句候補を選択して摘要情報を作成するのに対し、実施例３は摘要情報を自動で作成する処理を図１１のフローチャートで説明する。
【０１０６】
会計データの入力画面を表示するまでの処理はＳ１０１と同じため記載を省略する。領収書やレシートについては、事前に電子化して、イメージを表示させて参照しながら入力するようにし、領収書やレシートの内容（例：コンビニＥ  書籍代  雑誌  １冊  ３００円）をあらかじめＯＣＲ等の文字認識処理によりテキスト化して、イメージと関連付けておく（Ｓ３０１）。
【０１０７】
レシートのイメージ（例：コンビニＥ  書籍代  雑誌  １冊  ３００円）を見ながら該当する取引で、日付（例：１１月２０日）、金額（例：３００円）、借方の勘定科目（例：新聞図書費）、貸方の勘定科目（例：現金）を入力する（Ｓ３０２）。
【０１０８】
科目摘要パターンテーブルを参照して入力された勘定科目（例：借方科目−新聞図書費、貸方科目−現金）に対応する摘要パターン（例：「書籍代  −  雑誌Ａ  −  コンビニＥ」、「書籍代  −  雑誌Ｂ  −  Ｄ書店」、「新聞代  −  新聞Ｃ  −  ○田太郎」等）を取得する（Ｓ３０３）。
【０１０９】
科目摘要テーブルを参照して、入力された借方の勘定科目（例：新聞図書費）と対応する摘要類型である借方摘要類型（例：「物品購入」）と、貸方の勘定科目（例：現金）と対応する摘要類型である貸方摘要類型（例：「飲食」、「交通」、「物品購入」、「その他支払」等）を制御部が比較し、一致する摘要類型（例：「物品購入」）を借方摘要類型及び貸方摘要類型に設定する。一致する摘要類型が複数存在する場合はリストとして表示し、表示したリストから選択してもよいし、摘要類型に優先度を設定し、一致した摘要類型のうち優先度の高いものを自動で設定するようにしてもよい（Ｓ３０４）。
【０１１０】
摘要類型が「物品購入」となり、摘要類型テーブルを参照してＳ３０４で摘要項目構成（「物品購入」−「物品購入／書籍代／内容／品名／支払先／数量／金額」）を取得する（Ｓ３０５）。
【０１１１】
Ｓ３０３で取得した摘要パターン（例：「書籍代  −  雑誌Ａ  −  コンビニＥ  −  １冊」、「書籍代  −  雑誌Ｂ  −  Ｄ書店  −  １冊」、「新聞代  −  新聞Ｃ  −  コンビニＥ  −  １部」等）からＳ３０１で取得したレシート内容（例：コンビニＥ  書籍代  雑誌  １冊  ３００円）と一致する摘要パターン（例：「書籍代  −  雑誌Ａ  −  コンビニＥ  −  １冊」）を抽出する（Ｓ３０６）。
【０１１２】
Ｓ３０６で抽出した摘要パターンを分解して摘要語句を取得し（Ｓ３０７）、Ｓ３０５で取得した摘要項目構成（「物品購入」−「物品購入／書籍代／内容／品名／支払先／数量／金額」）にキーワード辞書を参照しながら取得した摘要語句を代入して摘要情報（「物品購入／書籍代／内容（例：雑誌Ａ）／品名（例：月号）／支払先（例：コンビニＥ）／数量（例：１冊）／金額（例：金額）」）を自動作成する（Ｓ３０８）。
【０１１３】
品名の「月号」のキーワード辞書の処理欄の値が「日付」なので、入力された日付（例：１１月２０日）から取得した「１１月」と「月号」を結合して「１１月号」を品名の項目に代入する。また、金額の項目なので、「金額」の摘要語句を追加し、キーワード辞書の処理欄の値が「金額」なので、入力された金額（例：３００円）から取得した「３００円」と結合された「金額３００円」を金額の項目に代入してもよいし、入力された金額（例：３００円）から取得した「３００円」をそのまま金額の項目に代入してもよい。
よって、摘要情報（「物品購入／書籍代／内容（例：雑誌Ａ）／品名（例：１１月号）／支払先（例：コンビニＥ）／数量（例：１冊）／金額（例：金額３００円）」）が自動作成される。
【０１１４】
当該摘要情報と一致する摘要パターンがある場合（Ｓ３０９：Ｙｅｓ）は登録済みの一致する摘要パターンの登録回数に１を加算し（Ｓ３１０）、科目摘要パターンテーブルを更新し、一致するものがない場合（Ｓ３０９：Ｎｏ）は科目摘要パターンテーブルに追加する（Ｓ３1１）。
【０１１５】
本実施例により、担当者が事前に摘要情報を登録したり、仕訳データ入力時に摘要語句を選択したりすることなく摘要情報を自動作成することができ、仕訳データの入力の手間が軽減される効果がある。また自動作成した摘要情報を登録し、登録した摘要情報や選択された摘要語句を摘要パターンテーブルやキーワード辞書にフィードバックすることで、摘要情報の学習を繰り返すことにより摘要情報作成の精度が高まり、領収書やレシートのイメージからテキストを取得できれば適切な摘要情報を自動作成することができる。
【０１１６】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、実施例１から実施例３やそれらの実施例の変形例を実行するプログラムであってもよい。
【産業上の利用可能性】
【０１１７】
以上のように、本発明にかかる会計処理装置、会計処理方法、会計処理プログラムは、担当者が事前に摘要情報を登録したり、仕訳データ入力時に摘要語句を選択したりすることなく摘要情報を自動作成することができ、仕訳データの入力の手間が軽減されるという効果を有し、会計処理装置、会計処理方法、会計処理プログラム等として有用である。
【符号の説明】
【０１１８】
１    会計処理装置
１ａ  サーバ装置
１ｂ  端末
１０  制御部
３０  記憶部
３１  会社ＤＢ
３２  仕訳データＤＢ
３３  科目摘要テーブル
３４  摘要類型テーブル
３５  科目摘要パターンテーブル
３６  キーワード辞書
４５  入力部
４６  表示部
４９  通信部
【図１】
2019121091.tif 000003
【図２】
2019121091.tif 000004
【図３】
2019121091.tif 000005
【図４】
2019121091.tif 000006
【図５】
2019121091.tif 000007
【図６】
2019121091.tif 000008
【図７】
2019121091.tif 000009
【図８】
2019121091.tif 000010
【図９】
2019121091.tif 000011
【図１０】
2019121091.tif 000012
【図１１】
2019121091.tif 000013
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
勘定科目の入力を受け付ける手段と、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出する手段と、
抽出した前記摘要パターンから摘要パターンリストを作成する手段と、
前記摘要パターンリストを前記摘要パターンの登録回数の多い順に優先順位付けを行う手段と、
入力された勘定科目と関連する摘要語句に取引内容を示すカテゴリを関連付けたキーワードとして登録するキーワード辞書を参照して前記摘要パターンリストからキーワード毎に分解して各摘要パターンの摘要語句と摘要語句数を取得する手段と、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記登録回数の最も多い摘要パターンの摘要語句数の数だけ繰り返す手段とを備えることを特徴とする会計処理装置。
【請求項２】
勘定科目の入力を受け付ける手段と、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出する手段と、
抽出した前記摘要パターンから摘要パターンリストを作成する手段と、
入力された勘定科目と関連する摘要語句に取引内容を示すカテゴリを関連付けたキーワードとして登録するキーワード辞書を参照して借方に入力された勘定科目をキーとして借方側の当該勘定科目と関連付けられたキーワードである借方キーワードを取得する手段と、
前記キーワード辞書を参照して貸方に入力された勘定科目をキーとして貸方側の当該勘定科目と関連付けられたキーワードである貸方キーワードを取得する手段と、
前記摘要パターンリストから摘要パターン毎に前記借方キーワードと前記貸方キーワードをそれぞれキーとして一致する摘要語句の数を摘要語句使用数として集計する手段と、
前記摘要パターン毎に前記摘要語句使用数を合計した摘要語句使用数合計を集計する手段と、
前記摘要語句使用数合計の多い順に優先順位付けを行う手段と、
前記摘要パターンリストからキーワード毎に分解して各摘要パターンの摘要語句と摘要語句数を取得する手段と、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記摘要語句使用数合計の最も多い摘要パターンの摘要語句数の数だけ繰り返す手段とを備えることを特徴とする会計処理装置。
【請求項３】
勘定科目の入力を受け付ける手段と、
取引内容や取引状況を取引カテゴリ毎に分類した摘要類型と入力された勘定科目と関連付けて登録する科目摘要テーブルを参照して借方に入力された勘定科目をキーとして借方の勘定科目と対応する借方摘要類型を取得する手段と、
前記科目摘要テーブルを参照して貸方に入力された勘定科目をキーとして貸方の勘定科目と対応する貸方摘要類型を取得する手段と、
借方摘要類型と前記貸方摘要類型を比較する手段と、
借方摘要類型と前記貸方摘要類型から一致する摘要類型を抽出する手段と、
取引内容や取引状況をキーワード毎に分解しカテゴリ毎にまとめた摘要項目の組み合わせである摘要項目構成と摘要類型を関連付けて登録する摘要類型テーブルを参照して前記抽出した摘要類型をキーとして摘要項目数と摘要項目構成を取得する手段と、
入力された勘定科目と関連する摘要語句に取引内容を示すカテゴリを関連付けたキーワードとして登録するキーワード辞書を参照して前記摘要項目構成の項目毎に優先順位の高いキーワードを取得する手段と、
取得した前記摘要語句を摘要語句候補として優先順位の高い順に表示する第一の手段と、
前記表示した摘要語句候補から選択された摘要語句候補を摘要語句として確定する第二の手段と、
第一の手段と第二の手段を含む処理を前記摘要項目数の数だけ繰り返す手段とを備えることを特徴とする会計処理装置。
【請求項４】
請求項１または請求項２に記載の会計処理装置であって、
取引内容を示す原始証憑を画像データ化する手段と、
前記画像データからテキスト情報を抽出する手段と、
前記キーワード辞書を参照してテキスト情報を入力キーワードとしてキーワード毎に分解する手段と、
前記科目摘要パターンテーブルを参照して前記入力キーワードをキーとして入力キーワードとの一致数が最も多い摘要パターンを取得する手段と、
取得した摘要パターンを元に摘要情報を自動作成する手段とを備えることを特徴とする会計処理装置。
【請求項５】
請求項３に記載の会計処理装置であって、
取引内容を示す原始証憑を画像データ化する手段と、
前記画像データからテキスト情報を抽出する手段と、
前記キーワード辞書を参照してテキスト情報を入力キーワードとしてキーワード毎に分解する手段と、
前記入力キーワードを前記摘要項目構成の各項目に設定することで摘要情報を自動作成する手段と備えることを特徴とする会計処理装置。
【請求項６】
請求項１から請求項５に記載の会計処理装置であって、
前記勘定科目と確定した摘要語句から作成された摘要情報から前記勘定科目と前記摘要情報を含む仕訳データを作成する手段と、
前記仕訳データを仕訳データＤＢに登録する手段とを備えることを特徴とする会計処理装置。
【請求項７】
請求項１から請求項６に記載の会計処理装置であって、
前記勘定科目と確定した摘要語句から作成された摘要情報を含む仕訳データを作成する手段と、
前記仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録する第一の手段と、
前記第一の手段により前記キーワード辞書にフィードバックする手段とを備えることを特徴とする会計処理装置。
【請求項８】
請求項１、２および４のいずれかに記載の会計処理装置であって、
前記勘定科目と前記摘要情報を含む仕訳データを作成する手段と、
前記仕訳データを仕訳データＤＢに登録する際に、前記科目摘要パターンテーブルに前記摘要情報の登録の有無により、該当摘要情報と一致する摘要パターンの選択回数に１を追加又は該当摘要情報を新たな摘要パターンとして自動で登録する第一の手段と、
前記第一の手段により前記科目摘要パターンテーブルにフィードバックする手段とを備えることを特徴とする会計処理装置。
【請求項９】
請求項１から８に記載の会計処理装置であって、
前記摘要語句に少なくとも日付又は金額のいずれかの文字を含む場合は前記キーワード辞書に登録する際に摘要語句から前記日付又は前記金額部分を除去した摘要語句を新たなキーワードとして自動で登録する第一の手段と、
前記第一の手段により前記キーワード辞書にフィードバックする手段とを備えることを特徴とする会計処理装置。
【請求項１０】
請求項１、２、４および８のいずれかに記載の会計処理装置であって、
前記摘要情報に少なくとも日付又は金額のいずれかの文字を含む場合は前記科目摘要パターンテーブルに登録する際に摘要語句から前記日付又は前記金額部分を除去した摘要情報を新た摘要パターンとして自動で登録する第一の手段と、
前記第一の手段により前記科目摘要パターンテーブルにフィードバックする手段とを備えることを特徴とする会計処理装置。
【請求項１１】
請求項１から１０に記載の会計処理装置であって、
会計処理を行なう会社の入力を受け付ける手段と、
会計処理の対象となる会社情報を登録した会社ＤＢを参照して入力された会社の会社コードを取得する手段と、
前記勘定科目と確定した摘要語句から作成された摘要情報を含む仕訳データを仕訳データＤＢに登録する手段と、
取得した会社コードをキーとして前記仕訳データＤＢから一致する仕訳データを取得する手段と、
前記キーワード辞書を参照して取得した仕訳データの摘要情報に含まれる摘要語句を抽出する手段と、
前記抽出した摘要語句を元に会社毎のキーワード辞書を作成する手段とを備えることを特徴とする会計処理装置。
【請求項１２】
請求項１、２、４、８および１０のいずれかに記載の会計処理装置であって、
会計処理を行なう会社の入力を受け付ける手段と、
会計処理の対象となる会社情報を登録した会社ＤＢを参照して入力された会社の会社コードを取得する手段と、
前記勘定科目と確定した摘要語句から作成された摘要情報を含む仕訳データを仕訳データＤＢに登録する手段と、
取得した会社コードをキーとして前記仕訳データＤＢから一致する仕訳データを取得する手段と、
前記科目摘要パターンテーブルを参照して取得した仕訳データの摘要情報と一致する摘要パターンを抽出する手段と、
前記抽出した摘要パターンを元に会社毎の科目摘要パターンテーブルを作成する手段とを備えることを特徴とする会計処理装置。
【請求項１３】
請求項１から１２に記載の会計処理装置であって、
会計処理対象の取引の発生年月である対象年月を取得する手段と、
参照対象となる過去取引の発生時期が設定された参照設定および前記対象年月に基づいて、参照対象となる過去取引の発生した年月日を限定するための参照期間を決定する手段と、
前記勘定科目と確定した摘要語句から作成された摘要情報を含む仕訳データを仕訳データＤＢに登録する手段と、
前記仕訳データＤＢから当該参照期間に該当する仕訳データを抽出する手段と、
前記抽出した仕訳データを元に前記会社毎のキーワード辞書を作成する手段とを備えることを特徴とする記載の会計処理装置。
【請求項１４】
請求項１、２、４、８、１０および１２のいずれかに記載の会計処理装置であって、
会計処理対象の取引の発生年月である対象年月を取得する手段と、
参照対象となる過去取引の発生時期が設定された参照設定および前記対象年月に基づいて、参照対象となる過去取引の発生した年月日を限定するための参照期間を決定する手段と、
前記勘定科目と確定した摘要語句から作成された摘要情報を含む仕訳データを仕訳データＤＢに登録する手段と、
前記仕訳データＤＢから当該参照期間に該当する仕訳データを抽出する手段と、
前記抽出した仕訳データを元に会計処理の対象となる会社情報を登録した会社ＤＢを参照して入力された会社毎の科目摘要パターンテーブルを作成する手段とを備えることを特徴とする会計処理装置。
【請求項１５】
コンピュータが、
勘定科目の入力を受け付けるステップと、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出するステップと、
抽出した前記摘要パターンから摘要パターンリストを作成するステップと、
前記摘要パターンリストを前記摘要パターンの登録回数の多い順に優先順位付けを行うス
テップと、
入力された勘定科目と関連する摘要語句に取引内容を示すカテゴリを関連付けたキーワードとして登録するキーワード辞書を参照して前記摘要パターンリストからキーワード毎に分解して各摘要パターンの摘要語句と摘要語句数を取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記登録回数の最も多い摘要パターンの摘要語句数の数だけ繰り返す手段とを実行することを特徴とする会計処理方法。
【請求項１６】
コンピュータが、
勘定科目の入力を受け付けるステップと、
摘要情報を構成する１以上の摘要語句の組み合わせである摘要パターンと入力された勘定科目を関連付けて登録する科目摘要パターンテーブルを参照して借方に入力された勘定科目と貸方に入力された勘定科目をキーとして一致する摘要パターンを抽出するステップと、
抽出した前記摘要パターンから摘要パターンリストを作成するステップと、
入力された勘定科目と関連する摘要語句に取引内容を示すカテゴリを関連付けたキーワードとして登録するキーワード辞書を参照して借方に入力された勘定科目をキーとして借方側の当該勘定科目と関連付けられたキーワードである借方キーワードを取得するステップと、
前記キーワード辞書を参照して貸方に入力された勘定科目をキーとして貸方側の当該勘定科目と関連付けられたキーワードである貸方キーワードを取得するステップと、
前記摘要パターンリストから摘要パターン毎に前記借方キーワードと前記貸方キーワードをそれぞれキーとして一致する摘要語句の数を摘要語句使用数として集計するステップと、
前記摘要パターン毎に前記摘要語句使用数を合計した摘要語句使用数合計を集計するステップと、
前記摘要語句使用数合計の多い順に優先順位付けを行うステップと、
前記摘要パターンリストからキーワード毎に分解して各摘要パターンの摘要語句と摘要語句数を取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記摘要語句使用数合計の最も多い摘要パターンの摘要語句数の数だけ繰り返すステップとを実行することを特徴とする会計処理方法。
【請求項１７】
コンピュータが、
勘定科目の入力を受け付けるステップと、
取引内容や取引状況を取引カテゴリ毎に分類した摘要類型と入力された勘定科目と関連付けて登録する科目摘要テーブルを参照して借方に入力された勘定科目をキーとして借方の
勘定科目と対応する借方摘要類型を取得するステップと、
前記科目摘要テーブルを参照して貸方に入力された勘定科目をキーとして貸方の勘定科目と対応する貸方摘要類型を取得するステップと、
借方摘要類型と前記貸方摘要類型を比較するステップと、
借方摘要類型と前記貸方摘要類型から一致する摘要類型を抽出するステップと、
取引内容や取引状況をキーワード毎に分解しカテゴリ毎にまとめた摘要項目の組み合わせである摘要項目構成と摘要類型を関連付けて登録する摘要類型テーブルを参照して前記抽出した摘要類型をキーとして摘要項目数と摘要項目構成を取得するステップと、
入力された勘定科目と関連する摘要語句に取引内容を示すカテゴリを関連付けたキーワードとして登録するキーワード辞書を参照して前記摘要項目構成の項目毎に優先順位の高いキーワードを取得するステップと、
取得した前記摘要語句を摘要語句候補として優先順位の高い順に表示する第一のステップと、
前記表示した摘要語句候補から選択された摘要語句候補を摘要語句として確定する第二のステップと、
第一のステップと第二のステップを含む処理を前記摘要項目数の数だけ繰り返すステップとを実行することを特徴とする会計処理方法。
【請求項１８】
請求項１５または請求項１６に記載の会計処理方法であって、
コンピュータが、
取引内容を示す原始証憑を画像データ化するステップと、
前記画像データからテキスト情報を抽出するステップと、
前記キーワード辞書を参照してテキスト情報を入力キーワードとしてキーワード毎に分解するステップと、
ドとの一致数が最も多い摘要パターンを取得するステップと、
取得した摘要パターンを元に摘要情報を自動作成するステップとを実行することを特徴とする会計処理方法。
【請求項１９】
請求項１７に記載の会計処理方法であって、
コンピュータが、
取引内容を示す原始証憑を画像データ化するステップと、
前記画像データからテキスト情報を抽出するステップと、
前記キーワード辞書を参照してテキスト情報を入力キーワードとしてキーワード毎に分解するステップと、
前記入力キーワードを前記摘要項目構成の各項目に設定することで摘要情報を自動作成するステップと実行することを特徴とする会計処理方法。
【請求項２０】
請求項１５から請求項１９に記載の会計処理方法であって、
コンピュータが、
前記勘定科目と確定した摘要語句から作成された摘要情報から前記勘定科目と前記摘要情報を含む仕訳データを作成するステップと、
前記仕訳データを仕訳データＤＢに登録するステップとを実行することを特徴とする会計処理方法。
【請求項２１】
請求項１５から請求項２０に記載の会計処理方法であって、
コンピュータが、
前記勘定科目と確定した摘要語句から作成された摘要情報を含む仕訳データを作成するステップと、
前記仕訳データを仕訳データＤＢに登録する際に、前記キーワード辞書に前記摘要情報で使用されている摘要語句の有無により、該当摘要語句の選択回数に１を追加又は該当摘要語句を新たなキーワードとして自動で登録する第一のステップと、
前記第一のステップにより前記キーワード辞書にフィードバックするステップとを実行することを特徴とする会計処理方法。
【請求項２２】
請求項１５、１６および１８のいずれかに記載の会計処理方法であって、
コンピュータが、
前記勘定科目と前記摘要情報を含む仕訳データを作成するステップと、
前記仕訳データを仕訳データＤＢに登録する際に、前記科目摘要パターンテーブルに前記摘要情報の登録の有無により、該当摘要情報と一致する摘要パターンの選択回数に１を追加又は該当摘要情報を新たな摘要パターンとして自動で登録する第一のステップと、
前記第一のステップにより前記科目摘要パターンテーブルにフィードバックするステップとを実行することを特徴とする会計処理方法。
【請求項２３】
請求項１から請求項１４までのいずれかに記載の会計処理装置としてコンピュータを機能させるためのプログラム。